(57)【要約】      （修正有）【課題】金融商品の取引を行う者の多様な目的に沿った形で複数の注文を行わせつつ、取引の利便性を高めることができる金融商品取引管理装置、金融商品取引管理システム及びプログラムを提供する。【解決手段】金融商品取引管理システム１Ａにおいて、金融商品取引管理装置１は、金融商品の注文を行うための注文情報を生成する注文情報生成手段と、利用者に注文情報を視認させる注文情報表示手段に、利用者が取引を行う金融商品の注文に関する注文情報を表示させる制御を行う注文情報表示制御手段とを備える。注文情報表示制御手段は、それぞれの注文情報に基づいて取引が行われる金融商品の複数の注文の少なくとも一部が、異なる注文価格において、異なる注文数量になるように設定して、注文情報を生成するための情報を注文情報表示手段に表示させる。【選択図】図１
2020106925.tif 000002
【特許請求の範囲】
【請求項１】
金融商品の取引を行う利用者に、前記金融商品の取引を行わせる金融商品取引管理装置であって、
前記金融商品の注文を行うための注文情報を生成する注文情報生成手段と、
前記利用者に前記注文情報を視認させる注文情報表示手段に、前記利用者が取引を行う前記金融商品の前記注文に関する前記注文情報を表示させる制御を行う注文情報表示制御手段とを備え、
該注文情報表示制御手段は、複数の前記注文情報を、それぞれの前記注文情報に基づいて取引が行われる前記金融商品の複数の注文の少なくとも一部が、異なる注文価格において、異なる注文数量になるように設定して、前記注文情報生成手段に前記注文情報を生成させるための情報を前記注文情報表示手段に表示させることを特徴とする金融商品取引管理装置。
【請求項２】
前記注文情報表示制御手段は、複数の前記注文価格において、所定の規則性をもって設定される複数の前記注文の取引を行うための、前記注文情報生成手段によって生成される複数の前記注文情報のうちの少なくとも一部を、前記注文の前記所定の規則性を逸脱させることができるように表示させることを特徴とする請求項１に記載の金融商品取引管理装置。
【請求項３】
前記規則性は、複数の前記注文価格同士の前記注文数量の一致の態様の規則性、及び／又は、複数の前記注文価格同士の前記注文数量の相違の態様の規則性、であることを特徴とする請求項２に記載の金融商品取引管理装置。
【請求項４】
前記規則性の情報を利用者に対して選択可能に表示する規則性表示手段を、前記注文情報表示手段に表示させるための制御を行う規則性表示制御手段を備え、
該規則性表示制御手段は、前記規則性表示手段に表示され、前記利用者によって選択された前記規則性の情報に基づいて、前記所定の規則性を有する前記注文を設定する前記注文情報を、前記注文情報生成手段において自動的に生成させることを特徴とする請求項２又は３に記載の金融商品取引管理装置。
【請求項５】
前記規則性表示制御手段は、前記規則性表示手段に表示された情報に基づいて、複数の前記注文価格の前記注文が前記所定の規則性を有するように、前記注文情報生成手段において前記注文情報を生成させると共に、前記規則性表示手段に表示された情報に基づいて、所定の条件に適合する、少なくとも一部の前記注文が、前記所定の規則性から逸脱するように、前記注文情報生成手段において前記注文情報を生成させることを特徴とする請求項４に記載の金融商品取引管理装置。
【請求項６】
複数の前記注文価格の前記注文が前記所定の規則性を有するように生成された前記注文情報のうち少なくとも一部を、前記注文が前記所定の規則性から逸脱するように修正する注文情報修正手段を備え、
前記規則性表示制御手段は、前記規則性表示手段に表示された情報に基づいて、注文情報修正手段に、前記注文が前記所定の規則性から逸脱するように修正させることを特徴とする請求項４又は５に記載の金融商品取引管理装置。
【請求項７】
前記注文情報修正手段は、所定の条件を満たした前記注文が、前記所定の規則性から逸脱するように前記注文情報を自動的に修正することを特徴とする請求項６に記載の金融商品取引管理装置。
【請求項８】
前記規則性表示制御手段は、前記規則性表示手段に表示された情報に基づいて、前記注文情報修正手段に、利用者から入力された、前記所定の規則性を修正するための修正情報に基づいて、所定の条件を満たした前記注文が、前記所定の規則性から逸脱するように前記注文情報を修正させることを特徴とする請求項６に記載の金融商品取引管理装置。
【請求項９】
前記注文情報生成手段によって生成された前記注文情報に基づく前記注文を、所定の約定条件を満たした際に約定させる約定情報生成手段を備えたことを特徴とする請求項１乃至８の何れか一つに記載の金融商品取引管理装置。
【請求項１０】
金融商品の取引を行う利用者に、前記金融商品の取引を行わせる金融商品取引管理システムであって、
前記金融商品の注文を行うための注文情報を生成する注文情報生成手段と、
前記利用者に前記注文情報を視認させる注文情報表示手段に、前記利用者が取引を行う前記金融商品の前記注文に関する前記注文情報を注文情報表示手段に表示させる制御を行う注文情報表示制御手段とを備え、
該注文情報表示制御手段は、複数の前記注文情報を、それぞれの前記注文情報に基づいて取引が行われる前記金融商品の複数の注文の少なくとも一部が、異なる注文価格において、異なる注文数量になるように設定して、前記注文情報生成手段に前記注文情報を生成させるための情報を前記注文情報表示手段に表示させることを特徴とする金融商品取引管理システム。
【請求項１１】
コンピュータを、請求項１乃至９の何れか一つに記載の金融商品取引管理装置として機能させることを特徴とするプログラム。
【発明の詳細な説明】
【技術分野】
【０００１】
本発明は、外国為替等、金融商品の取引を管理、支援する技術に関する。
【背景技術】
【０００２】
近年、多様な場所や多様な時間に取引を行わせて取引の利便性を高めるための技術として、外国為替等の金融商品の取引を行う者（以下「取引者」と称する。）に、ネットワークに接続されたコンピュータシステムを用いて取引を行わせる技術が普及している。このような技術としては、異なる複数の価格に金融商品の注文を発注させる処理と、発注した注文の注文価格と相場価格とが一致したら発注した注文を約定させる処理とを行う構成を備えた発明が知られている（例えば、特許文献１参照）。
【先行技術文献】
【特許文献】
【０００３】
【特許文献１】特開２００８−９５６２号公報
【発明の概要】
【発明が解決しようとする課題】
【０００４】
ここで、金融商品の取引を行う場合は、効率的に利益を確保することや想定外の相場変動によるリスクを回避すること等を目的に、注文を行う者が注文価格や注文する日時や相場の状況などによって注文数量を変えることを望む場合がある。しかし、特許文献１に記載の発明は、一の売買注文申込情報に基づいて生成される注文情報により発注される複数の注文は、いずれも同じ注文数量に設定される。そのため、特許文献１に記載の発明においては、注文を行う者に、それぞれの目的に応じた注文を行わせることが難しい場合も出てくる可能性があるという問題がある。
【０００５】
本発明は上記の問題に鑑みてなされたものであり、金融商品の取引を行う者の多様な目的に沿った形で複数の注文を行わせつつ、取引の利便性を高めることができる金融商品取引管理装置、金融商品取引管理システムを提供することを課題としている。
【課題を解決するための手段】
【０００６】
かかる課題を達成するために、請求項１に記載の発明は、金融商品の取引を行う利用者に、前記金融商品の取引を行わせる金融商品取引管理装置であって、前記金融商品の注文を行うための注文情報を生成する注文情報生成手段と、前記利用者に前記注文情報を視認させる注文情報表示手段に、前記利用者が取引を行う前記金融商品の前記注文に関する前記注文情報を表示させる制御を行う注文情報表示制御手段とを備え、該注文情報表示制御手段は、複数の前記注文情報を、それぞれの前記注文情報に基づいて取引が行われる前記金融商品の複数の注文の少なくとも一部が、異なる注文価格において、異なる注文数量になるように設定して、前記注文情報生成手段に前記注文情報を生成させするための情報を前記注文情報表示手段に表示させることを特徴とする。
【０００７】
請求項２に記載の発明は、請求項１に記載の構成に加え、前記注文情報表示制御手段は、複数の前記注文価格において、所定の規則性をもって設定される複数の前記注文の取引を行うための、前記注文情報生成手段によって生成される複数の前記注文情報のうちの少なくとも一部を、前記注文の前記所定の規則性を逸脱させることができるように表示させることを特徴とする。
【０００８】
請求項３に記載の発明は、請求項２に記載の構成に加え、前記規則性は、複数の前記注文価格同士の前記注文数量の一致の態様の規則性、及び／又は、複数の前記注文価格同士の前記注文数量の相違の態様の規則性、であることを特徴とする。
【０００９】
請求項４に記載の発明は、請求項２又は３に記載の構成に加え、前記規則性の情報を利用者に対して選択可能に表示する規則性表示手段を、前記注文情報表示手段に表示させるための制御を行う規則性表示制御手段を備え、該規則性表示制御手段は、前記規則性表示手段に表示され、前記利用者によって選択された前記規則性の情報に基づいて、前記所定の規則性を有する前記注文を設定する前記注文情報を、前記注文情報生成手段において自動的に生成させることを特徴とする。
【００１０】
請求項５に記載の発明は、請求項４に記載の構成に加え、前記規則性表示制御手段は、前記規則性表示手段に表示された情報に基づいて、複数の前記注文価格の前記注文が前記所定の規則性を有するように、前記注文情報生成手段において前記注文情報を生成させると共に、前記規則性表示手段に表示された情報に基づいて、所定の条件に適合する、少なくとも一部の前記注文が、前記所定の規則性から逸脱するように、前記注文情報生成手段において前記注文情報を生成させることを特徴とする。
【００１１】
請求項６に記載の発明は、請求項４又は５に記載の構成に加え、複数の前記注文価格の前記注文が前記所定の規則性を有するように生成された前記注文情報のうち少なくとも一部を、前記注文が前記所定の規則性から逸脱するように修正する注文情報修正手段を備え、前記規則性表示制御手段は、前記規則性表示手段に表示された情報に基づいて、注文情報修正手段に、前記注文が前記所定の規則性から逸脱するように修正させることを特徴とする。
【００１２】
請求項７に記載の発明は、請求項６に記載の構成に加え、前記注文情報修正手段は、所定の条件を満たした前記注文が、前記所定の規則性から逸脱するように前記注文情報を自動的に修正することを特徴とする。
【００１３】
請求項８に記載の発明は、請求項６に記載の構成に加え、前記規則性表示制御手段は、前記規則性表示手段に表示された情報に基づいて、前記注文情報修正手段には、利用者から入力された、前記所定の規則性を修正するための修正情報に基づいて、所定の条件を満たした前記注文が、前記所定の規則性から逸脱するように前記注文情報を修正させすることを特徴とする。
【００１４】
請求項９に記載の発明は、請求項１乃至８の何れか一つに記載の構成に加え、前記注文情報生成手段によって生成された前記注文情報に基づく前記注文を、所定の約定条件を満たした際に約定させる約定情報生成手段を備えたことを特徴とする。
【００１５】
請求項１０に記載の発明は、金融商品の取引を行う利用者に、前記金融商品の取引を行わせる金融商品取引管理システムであって、前記金融商品の注文を行うための注文情報を生成する注文情報生成手段と、前記利用者に前記注文情報を視認させる注文情報表示手段に、前記利用者が取引を行う前記金融商品の前記注文に関する前記注文情報を注文情報表示手段に表示させる制御を行う注文情報表示制御手段とを備え、該注文情報表示制御手段は、複数の前記注文情報を、それぞれの前記注文情報に基づいて取引が行われる前記金融商品の複数の注文の少なくとも一部が、異なる注文価格において、異なる注文数量になるように設定して、前記注文情報生成手段に前記注文情報を生成させするための情報を前記注文情報表示手段に表示させることを特徴とする。
【００１６】
請求項１１に記載の発明は、プログラムであって、コンピュータを、請求項１乃至９の何れか一つに記載の金融商品取引管理装置として機能させることを特徴とする。
【発明の効果】
【００１７】
請求項１、請求項１０に記載の発明によれば、それぞれの注文情報に基づいて取引が行われる複数の金融商品の注文の少なくとも一部が、異なる注文価格において、異なる注文数量になるように設定して注文情報を生成させするための情報を注文情報表示手段に表示させることにより、注文情報表示手段に表示された注文情報に基づいて注文される、注文価格の異なる複数の注文を、目的に応じ、異なる注文数量に設定することが可能となる。これにより、金融商品の取引を行う者の多様な目的に沿った形で複数の注文を行わせつつ、取引の利便性の高い注文を行わせることができる。
【００１８】
請求項２に記載の発明によれば、複数の注文価格において、所定の規則性をもって設定される複数の注文の取引を行うための、注文情報生成手段によって生成される複数の注文情報のうちの少なくとも一部を、注文の所定の規則性を逸脱させることができるように表示させることにより、注文情報に基づいて設定される複数の注文価格の注文を、異なる注文価格において、異なる注文数量に設定するときに、所定の規則性を有する注文の注文情報と、所定の規則性を逸脱した注文の注文情報とを併せて表示させることができる。これにより、注文情報に基づいて取引を行う複数の注文を、規則性のある注文と規則性を逸脱した注文が併存した状態で行わせることができ、規則性に基づき複数の注文をまとめて設定しつつ、利用者の意向や相場状況等に基づいて少なくとも一部の注文について規則性を逸脱した任意の状態で設定することを可能とし、取引の簡易性と取引の柔軟性を併存させた状態で金融商品の取引を行わせることができる。
【００１９】
請求項３に記載の発明によれば、注文価格ごとの注文数量の一致状態や相違状態を基準に、注文価格ごとの注文数量をまとめて設定することが可能となる。これにより、複数の注文価格に注文数量の異なる注文を設定する注文情報を生成する際の利便性を高めることができる。
【００２０】
請求項４に記載の発明によれば、規則性表示制御手段によって規則性の情報が利用者に対して選択可能に表示され、利用者によって選択された規則性の情報に基づいて、所定の規則性を有する注文を設定する注文情報を自動的に生成させることにより、所定の規則性を有する注文を簡易に行うための情報を利用者に提示すると共に、利用者から送られた情報に基づいて、注文情報生成手段において、所定の規則性を有する注文を行うための注文情報を定型的に生成させることができる。これにより、複数の注文価格に注文数量の異なる注文を設定する注文情報を生成する際の利便性を高め、そのような注文を設定するための注文情報を確実に生成することができる。
【００２１】
請求項５に記載の発明によれば、複数の注文価格の注文を、異なる注文価格において、異なる注文数量に設定するときに、規則性表示手段に表示された情報に基づいて、所定の規則性を基準にした設定と、所定の規則性から逸脱した設定とを併用させる注文情報の生成が可能となる。これにより、多様で複雑な注文の設定が可能となり、注文数量の異なる複数の注文価格の注文の設定の利便性を一層高めることが可能となる。
【００２２】
請求項６に記載の発明によれば、所定の規則性を有するように設定された注文情報のうち少なくとも一部を、規則性表示手段に表示された情報に基づいて、注文情報修正手段に、所定の規則性から逸脱するように設定を修正させ、所定の規則性を基準にした設定した注文を、目的や相場状況等の事後的な変化に応じて修正させることが可能となる。これにより、設定済の注文に対する多様で複雑な事後的な再設定が可能となり、注文数量の異なる複数の注文価格の注文の設定の利便性を一層高めることが可能となる。
【００２３】
請求項７に記載の発明によれば、所定の規則性を基準にした設定した注文を、目的や相場状況等の事後的な変化に応じ、自動的に修正させることが可能となる。これにより、設定済の注文に対する多様で複雑な事後的な再設定を簡易かつ確実に行うことができる。
【００２４】
請求項８に記載の発明によれば、規則性表示手段に表示された情報に基づいて、所定の規則性を基準にした設定した注文を、目的や相場状況等の事後的な変化に応じ、利用者の意向を反映した状態に修正させることが可能となる。これにより、設定済の注文に対する多様で複雑な事後的な再設定を、利用者の意向を反映した状態で確実に行うことができる。
【００２５】
請求項９に記載の発明によれば、生成された注文情報に基づいて発注された注文について取引が成立した場合に、注文情報に対し、その注文が約定した処理を行うことで、注文情報に基づく金融商品の売買取引を実現させることができる。
【００２６】
請求項１１に記載の発明によれば、本発明の金融商品取引管理装置をプログラム化し、多様なコンピュータハードウェア上で実現させることができる。
【図面の簡単な説明】
【００２７】
【図１】この発明の実施の形態１の金融商品取引管理システムにおけるシステム構成図及び金融商品取引管理装置の機能ブロック図である。
【図２】同上金融商品取引管理装置のハードウェア構成を示すブロック図である。
【図３】同上金融商品取引管理装置の注文テーブルのフィールド定義の模式図である。
【図４】同上金融商品取引管理装置における各階層ごとの注文数量を算出する第１の例を模式的に示す図である。
【図５】同上金融商品取引管理装置における各階層ごとの注文数量を算出する第２の例を模式的に示す図である。
【図６】同上金融商品取引管理装置における各階層ごとの注文数量を算出する第３の例を模式的に示す図である。
【図７】同上金融商品取引管理装置における、階層化の計算の具体例を模式的に示す第１の図である。
【図８】同上金融商品取引管理装置における、階層化の計算の具体例を模式的に示す第２の図である。
【図９】同上金融商品取引管理装置における、階層化の計算の具体例を模式的に示す第３の図である。
【図１０】同上金融商品取引管理装置における、階層化の計算の具体例を模式的に示す第４の図である。
【図１１】同上金融商品取引管理装置における、複数の注文価格に設定した注文を（ａ）階層化しない場合と、（ｂ）（ｃ）階層化した場合との平均コストの違いを模式的に示した図である。
【図１２】同上金融商品取引管理装置の処理手順を示すフローチャートである。
【図１３】同上金融商品取引管理装置における「トラップトレード」注文の注文入力画面を模式的に示した図である。
【図１４】同上金融商品取引管理装置における「トラップトレード」注文の選択・修正画面を模式的に示した図である。
【図１５】同上金融商品取引管理装置における「トラップトレード」注文の変更画面を模式的に示した図である。
【図１６】同上金融商品取引管理装置において、注文入力画面への入力により生成された「トラップトレード」の取引を行うための注文情報を模式的に示す図である。
【図１７】同上金融商品取引管理装置において、変更画面への入力により一部が変更されて生成された「トラップトレード」の取引を行うための注文情報を模式的に示す図である。
【図１８】同上金融商品取引管理装置において、注文入力画面への入力により生成された注文情報に基づく「トラップトレード」の注文を模式的に示す図である。
【図１９】同上金融商品取引管理装置において、変更画面への入力により一部が変更されて生成された注文情報に基づく「トラップトレード」の注文を模式的に示す図である。
【図２０】同上金融商品取引管理装置における「トラリピ」注文の注文入力画面を模式的に示した図である。
【図２１】同上金融商品取引管理装置における「トラリピ」注文の選択・修正画面を模式的に示した図である。
【図２２】同上金融商品取引管理装置における「トラリピ」注文の変更画面を模式的に示した図である。
【図２３】同上金融商品取引管理装置における「トラリピ」注文及び「らくトラ」注文の取引を行うための注文情報を模式的に示す図である。
【図２４】同上金融商品取引管理装置における「トラリピ」注文及び「らくトラ」注文の取引を行うための注文情報を模式的に示す図である。
【図２５】同上金融商品取引管理装置における「トラリピ」注文及び「らくトラ」注文の取引を行うための注文情報を模式的に示す図である。
【図２６】同上金融商品取引管理装置における「トラリピ」注文及び「らくトラ」注文の取引を行うための注文情報を模式的に示す図である。
【図２７】同上金融商品取引管理装置において、注文入力画面への入力により生成された注文情報に基づく「トラリピ」の注文を模式的に示す図である。
【図２８】同上金融商品取引管理装置において、変更画面への入力により一部が変更されて生成された注文情報に基づく「トラリピ」の注文を模式的に示す図である。
【図２９】同上金融商品取引管理装置における「らくトラ」注文の注文入力画面を模式的に示した図である。
【図３０】同上金融商品取引管理装置において、注文入力画面への入力により生成された注文情報に基づく「らくトラ」の注文を模式的に示す図である。
【図３１】同上金融商品取引管理装置において、変更画面への入力により一部が変更されて生成された注文情報に基づく「らくトラ」の注文を模式的に示す図である。
【発明を実施するための形態】
【００２８】
［システム構成］
図１乃至図３１に、この発明の実施の形態を示す。
【００２９】
図１は、この実施の形態の金融商品取引管理システムのシステム構成図及び機能ブロック図である。同図に示すとおり、金融商品取引管理システム１Ａは、金融商品取引管理装置１と、Ｎ個（Ｎ≧１）のクライアント端末２１〜２ｎとを備えており、金融商品取引管理装置１とクライアント端末２１〜２ｎは、ＷＡＮ（Wide Area Network）としてのインターネット３を介して相互に交信可能である。この実施の形態の金融商品取引管理システム１Ａは、金融商品として外国為替を取扱う。
【００３０】
金融商品取引管理装置１は、金融商品の取扱業者が管理し運用するサーバコンピュータであり、Ｗｅｂサーバ機能、大容量のデータを保存するデータベース機能を備えている。クライアント端末２１，・・・，２ｎは、金融商品の売買を行う個人又は法人が所持し使用する、データ通信機能を有する通信端末であって、パーソナルコンピュータ、携帯電話端末等がこれに該当する。クライアント端末２１，・・・，２ｎは、マウスやキーボード等各種指示を入力するために用いられる操作部２１１，・・・，２１ｎ、ＬＣＤ（Liquid Crystal Display）等からなり操作部２１１，・・・，２１ｎから入力された各種指示等や各種画像を表示する、「注文情報表示手段」としての表示部２２１，・・・，２２ｎを有している。クライアント端末２１，・・・，２ｎの操作部２１１，・・・，２１ｎと表示部２２１，・・・，２２ｎは、指やタッチペン等のポインティングデバイスの接触位置の座標情報等に基づいて各種入力を行う、タッチパネル式のディスプレイとして構成されていてもよい。なお、クライアント端末２１，・・・，２ｎ、操作部２１１，・・・，２１ｎ、表示部２２１，・・・，２２ｎは同じ構成を持つので、以下、区別する必要がある場合を除き、クライアント端末２、操作部２１、表示部２２とする。
【００３１】
表示部２２には、「注文情報表示手段」及び「規則性表示手段」としての注文入力画面４１０，５１０，６１０（図１３、図２０、図２９参照）、「注文情報表示手段」及び「規則性表示手段」としての選択・修正画面４１１，５１１（図１４、図２１参照）、「注文情報表示手段」及び「規則性表示手段」としての変更画面４１２，５１２（図１５、図２２参照）等が表示される。注文入力画面４１０，５１０，６１０（図１３、図２０、図２９参照）、選択・修正画面４１１，５１１（図１４、図２１参照）、変更画面４１２（図１５、図２２参照）等に表示され、利用者によって選択された「規則性の情報（後述）」は、注文情報生成部１６に入力されて、注文情報生成部１６においては、この「規則性の情報（後述）」に基づいて、所定の規則性を有する注文を設定する注文情報を自動的に生成する。
【００３２】
［金融商品取引管理装置の構成］
図２は、この実施の形態の金融商品取引管理装置１のハードウェア構成を示すブロック図である。同図に示すとおり、金融商品取引管理装置１は少なくとも１のＣＰＵ（Central Processing Unit、中央処理装置）１０１、及び、ＣＰＵ１０１の作業領域として機能するＲＡＭ（Random Access Memory）１０２、起動用ブートプログラム等が記録されたＲＯＭ（Read Only Memory）１０３、各種プログラムやデータ等が記録されるハードディスク等の補助記憶装置１０４、データの送受信に用いる通信インターフェース１０５、マウス、キーボード等、オペレータが金融商品取引管理装置１の操作を行うための操作部１０６、ＬＣＤ等からなり文字や画像を表示する表示部１０７等が設けられている。補助記憶装置１０４には、ＯＳ（Operating System）用プログラム、各種アプリケーションプログラム、データベースに記録されたデータ等が記録されており、これらのプログラムやデータはＣＰＵ１０１の演算処理により、ハードウェア資源と協働して各種機能を実現する。
【００３３】
図１に示す通り、金融商品取引管理装置１は、上述した各種プログラムとハードウェア資源とに基づいて実現される機能手段としてのデータ処理部１０、及び、データ処理部１０にて処理される各種データが記録されるデータベース１８を有する。データ処理部１０は金融商品取引管理装置１において用いる各種データの生成、加工等の処理を行うものであり、更に、同じく機能手段として、「注文情報表示制御手段」及び「規則性表示制御手段」としてのフロントページ配信部１１、注文入力受付部１２、入出金情報生成部１３、「約定情報生成手段」としての約定情報生成部１４、口座情報生成部１５、「注文情報生成手段」としての注文情報生成部１６、データベース（ＤＢ）接続基底部１７、価格情報受信管理部１９を有している。
【００３４】
注文入力受付部１２は、クライアント端末２から入力された各種の注文に関するデータを受け付け、金融商品の注文を成立させるために必要な各種処理を行う。また、金融商品の取引に必要な証拠金の額を算出する。
【００３５】
入出金情報生成部１３は、クライアント端末２から入出金のリクエストを受け付け、リクエストに基づいて入出金の一覧表を作成する。
【００３６】
注文情報生成部１６は、注文入力受付部１２が処理した情報に基づいて、成立した金融商品の注文に関する情報を生成する。ここでの注文には、いわゆる成行注文、指値注文、逆指値注文に加え、イフダンオーダーも含まれる。
【００３７】
注文情報生成部１６は、イフダンオーダー及び逆指値注文を生成する際に、第一注文が新規の指値注文又は逆指値注文となるように第一注文の注文情報を生成し、第二注文が決済の指値注文となるように第二注文の注文情報を生成し、逆指値注文が決済の逆指値注文となるように逆指値注文の注文情報を生成する。なお、第一注文、第二注文、逆指値注文の如何は後述する注文テーブル１８１のフィールド定義に基づいて区別、記録される。
【００３８】
注文情報生成部１６は、複数の注文、複数の第一注文、複数の第二注文等が異なる注文価格に複数設定される場合、基本的にはそれぞれの注文情報に基づいて取引が行われる金融商品の複数の注文を、異なる注文価格において、等しい注文数量になるように設定して注文情報を生成すると共に、そのうち少なくとも一部の注文や、一部の第一注文や、一部の第二注文が、異なる注文価格において、異なる注文数量になるように設定して注文情報を生成する。これについては後で詳述する。
【００３９】
また、注文情報生成部１６は、注文情報を生成する処理に加え、既に生成された注文情報や将来生成される予定の注文情報の内容を修正したり変更したりするための各種処理も併せて行う。
【００４０】
約定情報生成部１４は、注文情報生成部１６が生成した注文に基づく約定処理、及び、完了した約定処理に関する情報を取引者のクライアント端末２に送るための処理を行う。なお、ここでの「約定」とは、取引者の注文に基づいて金融商品の売買を成立されるための各種の手続並びに処理のことをいう。約定情報生成部１４の約定処理は、所定の約定条件を満たした注文に係る注文情報に対して行われる。後述する通り、この実施の形態において約定が成立すると、外国為替の売買が行われ、その結果、約定情報生成部１４の指示に基づいて、口座情報生成部１５が売買額に応じて証拠金情報（後述）を変換し、更に、入出金情報生成部１３が入出金の一覧表に入金や出金の状況を記載する。また、約定情報生成部１４は、約定が成立すると、クライアント端末２の表示部２２に約定が成立した旨の文字情報等を表示させ、また、売買価格に基づいてクライアント端末の銀行口座の出入金処理を行う。
【００４１】
口座情報生成部１５は、取引者の預金残高情報を生成し、当該預金残高情報を証拠金情報（即ち、注文の約定を実現できることを裏付けるための情報）を管理する機能を有する。なお、口座情報生成部１５において生成される預金残高に関する情報は、現実の預金残高と整合性を取るために、銀行等の金融機関が提供する、取引者の現実の預金残高に関する情報と定期的に照合される。
【００４２】
データベース接続基底部１７は、データ処理部１０において生成、加工処理されたデータとデータベース１８にて記録されるデータとの変換（例えば論理的データ構造と物理的データ構造との相互変換）を行うと共に、データ処理部１０とデータベース１８との間でデータを交信するために必要な処理を行う。
【００４３】
データベース１８は、金融商品取引管理装置１にて用いられるデータを記録する。この実施の形態におけるデータベース１８はリレーショナルデータベースによって形成するが、例えばオブジェクトデータベース等、大量のデータの記録や書換えに適したものであればどのような形式を用いてもよい。データベース１８には、注文テーブル１８１、取引者の口座が存在する金融機関、口座名、残高等の情報を定義する顧客口座情報テーブル１８２、取引される通貨の組合せ等に関する情報を定義する通貨ペア注文条件テーブル１８３、シーケンス番号テーブル１８４が記録されている。シーケンス番号テーブル１８４には注文情報（後述）ごとに一意に付されるシーケンス番号が記録される。注文テーブル１８１の詳細については後述する。
【００４４】
フロントページ配信部１１は、クライアント端末２の表示部２２にされる画像データを作成し、作成した画像データをクライアント端末２に送信する。
【００４５】
この実施の形態において、フロントページ配信部１１は、いわゆるフロントページ、すなわち、クライアント端末２から金融商品取引管理装置１にアクセスしたときに最初に表示部２２に表示される画面のみならず、注文情報生成部１６に注文情報を生成させるための各種情報や、注文情報生成部１６に、既に生成された注文情報や将来生成される予定の注文情報の内容を修正したり変更したりするための各種情報を表示するための画面をクライアント端末２の表示部２２に表示させる。具体的には、後述する注文選択画面（図示せず）、注文入力画面４１０，５１０，６１０（図１３、図２０、図２９参照）、選択・修正画面４１１，５１１（図１４、図２１参照）、変更画面４１２、５１２（図１５、図２２参照）、等が、フロントページ配信部１１の処理によってクライアント端末２の表示部２２に表示される。
【００４６】
価格情報受信管理部１９は、金融商品取引管理装置１にて扱う金融商品の価格についての情報を取得し、取得した情報に対し、データ処理部１０にて用いるために必要な処理と管理を行う。この実施の形態においては、価格情報受信管理部１９は外為の相場価格の情報を定期的に取得し、記録し管理する。
【００４７】
なお図示しないが、金融商品取引管理装置１は日時の情報を取得し管理するタイマと、このタイマから取得された日時の情報に基づいて第一注文、第二注文、逆指値注文の有効期限（後述）の管理を行う期限管理手段とを有する。
【００４８】
図３は注文テーブル１８１のフィールド定義の模式図である。この図に示す通り、注文テーブル１８１は項目数分のフィールドを有し、フィールドの名称（フィールド名）、文字や数値や日時等のデータ型（型）、ビット長等のデータ長（長さ）、空欄不可指定（Not Null）、デフォルト値の有無（デフォルト値）、データの項目名（備考）等が規定される。
【００４９】
なお、金融商品取引管理装置１は、店頭取引を行うためのシステムであってもよいし、金融用品の取引所（以下単に「取引所」と称する。）における取引所取引を行うためのシステムであってもよいし、それらの双方を行うためのシステムであってもよい。また、金融商品取引管理装置１は、金融商品の取引を取り扱う業者の管理するサーバシステムや、この業者から委託されたサーバ管理業者等の管理するサーバシステムとして存在してもよいし、金融商品取引管理装置１の少なくとも一部の構成（例えば注文情報生成部１６や約定情報生成部１４）が、取引所のシステムの内部に存在してもよい。さらに、金融商品取引管理装置１は、金融商品の取引を取り扱う業者やサーバ管理業者等が所持管理する、一又は複数のコンピュータやサーバからなるコンピュータシステムであってもよいし、それらの業者が所持しない、クラウドサービスやグリッドコンピューティングのようなシステムとして存在してもよい。
【００５０】
さらには、金融商品取引管理装置１のうちの少なくとも一部の構成（例えば注文情報生成部１６や約定情報生成部１４）が、クライアント端末２１，・・・，２ｎの構成として存在してもよい。
【００５１】
［この実施の形態における取引方法について］
この実施の形態の金融商品取引管理システム１Ａによって実現できる取引方法の代表例３例を以下概説する。なお、これらの取引方法はこの実施の形態において実現可能な取引方法の例にすぎず、この実施の形態の金融商品取引管理システム１Ａにおいて、これらの取引方法以外のいかなる取引方法が行われてもよい。
【００５２】
［取引方法総論：一の注文手続による注文］
この実施の形態においては、下記［取引方法１］〜［取引方法３］を含め、一の注文手続に基づいて注文情報生成部１６が生成した複数の注文情報に対する処理に基づいて、複数の注文がそれぞれ発注されたり約定されたりすることで取引が行われる。ここで、「一の注文手続」とは、注文入力画面４１０（図１３参照）、注文入力画面５１０（図１６参照）、注文入力画面６１０（図２９参照）等における所定の処理（例えば取引者による同図の実行ボタン４１ｑのクリック等）が行われた旨の信号やデータを、金融商品取引管理装置１が受信する処理を行うことや、金融商品取引管理装置１が受信して受け付ける処理を行うこと等をいう（以下、本明細書において同じ。）。
【００５３】
［取引方法１：トラップトレード］
この実施の形態の金融商品取引管理装置１においては、注文情報生成部１６が生成する注文情報によって、同一種類の複数の金融商品を所定の値幅で所定の注文数量ごとに予約する注文形態（以下この注文形態を単に「トラップトレード」と称する。）を実現できる。
【００５４】
このとき、注文情報生成部１６は、所定の基準価格（例えば複数の注文のうちの最高値の注文の注文価格や最安値の注文の注文価格と同一価格、あるいは、全ての注文の注文価格の平均価格となる価格、など）を基準として、全ての注文の注文価格を所定の演算に基づいて設定する。
【００５５】
ただし、この実施の形態においては、注文情報生成部１６が生成する注文情報による金融商品同士の値幅は常に一定である必要はなく、特定の注文、例えば最高値の注文とその一つ安値側の注文との値幅や、最安値の注文とその一つ高値側の注文との値幅が、他の注文価格の注文同士の一定の値幅とは異なるものであってもよいし、最高値の注文と最高値から２番目の注文、最高値から３番目の注文と４番目の注文・・・のように、所定の注文の組同士だけが等しい値幅になっているような構成であってもよい。
【００５６】
［取引方法２：トラップリピートイフダン］
また、この実施の形態の金融商品取引管理装置１においては、注文情報生成部１６が生成する注文情報によって、同一種類の複数の金融商品を、第一注文と、第一注文の約定によって発注される第二注文と（イフダン注文）の組み合わせが複数存在し、第一注文同士の値幅と第二注文同士の値幅が一定であり、それぞれの第一注文と対応するそれぞれの第二注文との利幅が一定であるように設定され、第一注文とそれに対応する第二注文とが約定すると、約定した第一注文に対応する新たな第一注文と約定した第二注文に対応する新たな第二注文とによるイフダン注文が繰り返される取引（以下この注文形態を単に「トラップリピートイフダン」と称する。）を実現できる。
【００５７】
このとき、注文情報生成部１６は、所定の基準価格（例えば複数の注文のうちの最高値の注文の注文価格や最安値の注文の注文価格と同一価格、あるいは、全ての注文の注文価格の平均価格となる価格、など）を基準として、全ての第一注文の注文価格や、全ての第二注文の注文価格を所定の演算に基づいて設定する。また、注文情報生成部１６は、所定の値（例えば、取引者によって入力された利幅の値や、利幅を演算するための所定の情報（例えば取引者の所有する証拠金の額や、取引者によって入力された、所定期間内に相場が変動する可能性があると取引者が想定した価格範囲としての想定変動幅の情報等））を用いた演算により、第一注文と第二注文との利幅を設定する。
【００５８】
ただし、この実施の形態においては、注文情報生成部１６が生成する注文情報による金融商品同士の値幅は常に一定である必要はなく、特定の注文、例えば最高値の第一注文とその一つ安値側の第一注文との値幅、あるいは最高値の第二注文とその一つ安値側の第二注文との値幅や、最安値の第一注文とその一つ高値側の第一注文との値幅、あるいは最安値の第二注文とその一つ高値側の第二注文との値幅が、他の注文価格の第一注文同士の一定の値幅とは異なるものであってもよいし、最高値の第一注文と最高値から２番目の第一注文、最高値から３番目の第一注文と４番目の第一注文・・・、あるいは最高値の第二注文と最高値から２番目の第二注文、最高値から３番目の第二注文と４番目の第二注文・・・のように、所定の第一注文の組同士だけや所定の第二注文の組同士だけが等しい値幅になっているような構成であってもよい。
【００５９】
また、この実施の形態においては、特定の第一注文とこの第一注文に対応する第二注文とがそれぞれ約定した後に表れる、注文情報生成部１６が生成する注文情報による新たな第一注文と新たな第二注文とが、元の第一注文の注文金額や注文価格と同一である必要はない。例えば、特定の第一注文と特定の第二注文とが約定した後に、新たな第一注文と新たな第二注文とが、元の第一注文の注文価格や元の第二注文の注文価格よりも所定価格（例えばそれぞれ０．１円ずつ）高値側（又は安値側）に変動した価格で発注されたり、新たな第一注文と新たな第二注文とが、元の第一注文や元の第二注文の注文数量よりも所定の注文数量（例えば０．１通貨単位）だけ増加（又は減少）した注文数量で発注されたりしてもよい。
【００６０】
また、この実施の形態においては、相場価格の変動等に伴い、特定の第一注文とこの第一注文に対応する第二注文とがそれぞれ約定した後に、注文情報生成部１６が生成する注文情報により、相場の変動方向に新たな第一注文と新たな第二注文とが発注されるように構成されるように構成されてもよい。
【００６１】
例えば、相場価格の変動に伴い、最高値の第一注文と最高値の第二注文とが約定した後に、注文情報生成部１６は、最高値の第一注文よりも高値側に新たな第一注文が発注され、最高値の第二注文よりも高値側に新たな第二注文が発注されるように新たな注文情報を生成するように構成されていてもよい。なお、この場合、新たに生成される第一注文と元の最高値の第一注文との値幅や、新たに生成される第二注文と元の最高値の第二注文との値幅は、元の第一注文同士の値幅や元の第二注文同士の値幅と同一であってもよいし、異なる値幅（例えば直近の所定期間における相場の変動に基づいて所定の演算によって算出された値幅）であってもよい。また、新たに生成される第一注文と新たに生成される第二注文との利幅は、元の第一注文と元の第二注文との利幅と同一でも異なるものでもよい。
【００６２】
［取引方法３：らくトラ］
また、この実施の形態においては、注文情報生成部１６は、所定の上限価格や所定の下限価格との間に設定される価格範囲、あるいは、上限価格や下限価格を基準に設定される価格範囲に、複数の注文を上記「トラップトレード」や「トラップリピートイフダン」と同様に設定する取引（以下この注文形態を単に「らくトラ」と称する。）を実現できる。
【００６３】
なお、この上限価格や下限価格は、例えば、注文情報生成部１６が、取引者によって入力された数値によって設定したり、注文情報生成部１６が、所定期間の相場価格の最高価格と最低価格とに基づいて所定の演算によって設定されたりという方法が考えられる。これ以外にも、どのような方法で設定されてもよい。
【００６４】
また、この価格範囲は、たとえば、注文情報生成部１６が、取引者によって入力された、上限価格と価格範囲、下限価格と価格範囲、のような数値によって設定したり、注文情報生成部１６が、所定期間の相場価格の変動範囲に基づいて所定の演算によって設定したりする方法が考えられる。これ以外にも、どのような方法で設定されてもよい。
【００６５】
また、価格範囲における、「トラップトレード」の注文や、「トラップリピートイフダン」の第一注文と第二注文との設定は、どのようなものであってもよい。
【００６６】
具体的には、例えば、注文情報生成部１６は、価格範囲の上限価格や下限価格に「トラップトレード」の最高値の注文価格や最安値の注文価格が一致するようにそれぞれの注文の注文価格を設定したり、価格範囲の中央の値を全ての注文価格の平均値に一致するようにそれぞれの注文価格を設定したりしてもよい。
【００６７】
また、例えば、注文情報生成部１６は、価格範囲の上限価格や下限価格に「トラップリピートイフダン」の最高値の第一注文の注文価格、あるいは最高値の第二注文の注文価格や、最安値の第一注文の注文価格、あるいは最安値の第二注文の注文価格が一致するようにそれぞれの第一注文や第二注文の注文価格を設定したり、価格範囲の下限価格に最安値の第一注文の注文価格が一致し、上限価格に最高値の第二注文の注文価格が一致するようにそれぞれの第一注文や第二注文の注文価格を設定してもよい。
【００６８】
また、例えば、注文情報生成部１６は、価格範囲の中央の値を全ての第一注文の注文価格の平均値に一致するようにそれぞれの第一注文の注文価格を設定したり、価格範囲の中央の値を全ての第一注文の注文価格の平均値に一致するようにそれぞれの第二注文の注文価格を設定したりしてもよい。
【００６９】
［取引方法１〜取引方法３の注文数量について］
なお、上記［取引方法１］〜［取引方法３］において、それぞれの注文価格ごとの注文や第一注文や第二注文の注文数量は、階層ごとに全て同一であってもよい。具体的には、例えば、全ての注文や全ての第一注文や全ての第二注文の注文数量が１００００通貨（これ以外のどのような数量の通貨であってもよい。）として発注され、約定されるような形態が考えられる。
【００７０】
一方、上記［取引方法１］〜［取引方法３］において、それぞれの注文価格ごとの注文や第一注文や第二注文の注文数量は、少なくとも一部の注文や第一注文や第二注文の注文数量が他と異なってもよい。すなわち、それぞれの階層（後述）ごとの注文数量が基本的に同一で、少なくとも一部の注文価格の注文や第一注文や第二注文の注文数量が他と相違する態様であってもよい。
【００７１】
具体的には、例えば、図１１に示す事例（後で詳述する。）において、第一階層（１ドル１０６．００円、１ドル１０７．００円、１ドル１０８．００円、１ドル１０９．００円、１ドル１１０．００円）のうち、真ん中の注文価格（１ドル１０８．００円）の注文の注文数量のみが１０１００通貨で、それ以外の注文価格の注文の注文数量が１００００通貨であるような構成が考えられる。また、上記以外の階層や、上記以外の注文価格の注文の注文数量が、上記以外の通貨単位で設定されるような構成であってもよい。
【００７２】
また、上記［取引方法１］〜［取引方法３］において、注文価格ごとの注文や第一注文や第二注文の注文数量は、注文発注から約定まで同一であってもよいし、注文発注から約定までの間に変動してもよい（例えば、発注時の注文数量が１００００通貨だったものが、相場の変動と共に注文数量が変動し、約定時の注文数量が１０１００通貨になるようなものであってもよい）。また、上記［取引方法１］〜［取引方法３］において、注文や第一注文や第二注文の注文価格は、注文発注から約定まで同一であってもよいし、注文発注から約定までの間に変動してもよい。
【００７３】
［注文の種類］
この実施の形態においては、注文情報生成部１６は、生成する注文情報に基づいて、「トラップトレード」の注文、「リピートイフダン」の第一注文や第二注文、「らくトラ」の注文や第一注文や第二注文を、どのような種類の注文によって行うこともできる。具体的には、例えば、注文情報生成部１６は、成行注文、指値注文、逆指値注文の何れかによって、「トラップトレード」の注文、「リピートイフダン」の第一注文や第二注文、「らくトラ」の注文や第一注文や第二注文を行うように、注文情報を生成できる。
【００７４】
より具体的には、例えば、注文情報生成部１６は、指値注文によって、相場価格が特定の注文価格に一致したときに約定するように注文情報を生成することができる。同様に、注文情報生成部１６は、逆指値注文によって、相場価格が特定の注文価格に一致したときに約定するように注文情報を生成することができる。さらには、注文情報生成部１６は、相場価格が特定の価格に至ったときに成行注文を発注して、その特定の価格に同一又は近似した価格で約定するように構成した成行注文（以下単に「トリガ成行」と称する。）を行うように、注文情報を生成することもできる。
【００７５】
また、注文情報生成部１６は、同様に、「リピートイフダン」や「らくトラ」の第一注文や第二注文を、指値注文によって行わせたり、逆指値注文によって行わせたり（例えば、相場価格が、第一注文や第二注文の約定価格を一旦越えて下落（又は上昇）し、再び上昇（又は下落）して再び約定価格に一致したときに約定させる構成が考えられる。）、トリガ成行によって行わせたりするように、注文情報を生成することができる。また、注文情報生成部１６は、第一注文と第二注文を、異なる種類の注文の組み合わせ（例えば第一注文が成行注文で第二注文が指値注文の組み合わせ）によって構成されるように注文情報を生成することもできる。
【００７６】
なお、この実施の形態においては、注文情報生成部１６は、「トラップトレード」の注文、「リピートイフダン」の第一注文や第二注文、「らくトラ」の注文や第一注文や第二注文に、相場の変動に追随して約定価格が変動するトレール機能を持つように注文情報を生成させることができる。
【００７７】
また、この実施の形態においては、注文情報生成部１６は、「リピートイフダン」の第一注文や第二注文、「らくトラ」の第一注文や第二注文に、相場の変動に追随して、その第一注文やその第二注文、及び、その後繰り返し発注される第一注文や第二注文の注文価格を、相場の変動方向に変動させる機能を持つように注文情報を生成させることができる。
【００７８】
さらに、この実施の形態においては、注文情報生成部１６は、「リピートイフダン」の第一注文や第二注文、「らくトラ」の第一注文や第二注文が、買い注文と売り注文とが約定した後に、買い注文と売り注文との順番が逆になるように（例えば、買いの第一注文と売りの第二注文とが発注と約定とをした後、売りの第一注文と買いの第二注文とが発注と約定とをし、その後、買いの第一注文と売りの第二注文とが発注と約定とをし・・・等）注文情報を生成させることができる。
【００７９】
また、この実施の形態においては、注文情報生成部１６は、「トラップトレード」の注文、「リピートイフダン」の第一注文や第二注文、「らくトラ」の注文や第一注文や第二注文の他に、相場の急激な下落又は急激な上昇による大幅な損失を抑止させるための注文である、ストップロス注文（逆指値注文）を生成することができる。このストップロス注文は、それぞれの注文ごとにストップロス注文を設定することもできるし、又は、それぞれの第一注文やそれぞれの第二注文ごとに設定することもできるし、全ての注文、あるいは、全ての第一注文や全ての第二注文に対して一のストップロス注文を設定することもできる。また、ストップロス注文が約定した場合、その後の全ての注文や全ての第一注文及び第二注文の取引がキャンセルされる（取引が強制的に終了される）ように構成されていてもよいし、条件つきで一部又は全ての取引が継続するように構成されていてもよい。
【００８０】
［注文数量の設定１・所定の規則性］
この実施の形態において、注文情報生成部１６は、注文価格ごとの注文数量が所定の規則性を有するように設定することで複数の注文情報を生成する。
【００８１】
具体的には、例えば、注文情報生成部１６は、「トラップトレード」の複数の注文や、「トラップリピートイフダン」の複数の第一注文及び複数の第二注文、「らくトラ」の複数の注文や複数の第一注文及び複数の第二注文を、一部又は全てが異なる注文数量となるように設定することができる。
【００８２】
より具体的には、例えば、注文情報生成部１６は、複数の注文のうちの基準となる所定の注文（例えば最高値の注文）を最も大きな注文数量（又は最も小さな注文数量）とし、安値側ほど所定価格ずつ（例えば０．１円ずつ）注文数量が小さくなる（又は大きくなる）ようにそれぞれの注文情報を生成できる。
【００８３】
また例えば、注文情報生成部１６は、複数の注文のうちの基準となる所定の注文（例えば、３つの注文のうちの高値側から２番目の注文や、４つの注文のうちの高値側から２番目の注文等、中央の注文又は中央相当の注文の注文価格）を最も大きな注文数量（又は最も小さな注文数量）とし、所定の注文から離れるごとに所定価格ずつ（例えば０．１円ずつ）注文数量が小さくなる（又は大きくなる）ようにそれぞれの注文情報を生成できる。
【００８４】
なお、この実施の形態においては、完全に同一の所定価格ずつ（例えば０．１円ずつ）注文数量が小さくなる（又は大きくなる）ように注文数量を設定してもよいが、差異のある価格ずつ（例えば０．１円±０．０５円ずつ）小さくなる（又は大きくなる）ように注文数量を設定してもよい。
【００８５】
このように、注文価格に応じて異なる注文数量に設定させることにより、一又は複数の注文ごとに、注文数量を大きくして大きな収益を上げることや、注文数量を小さくしてリスク回避を図りつつ、複数の注文を複数の注文価格に設定することができる。
【００８６】
なお、注文情報生成部１６は、注文数量の設定は、注文入力画面４１０（図１３参照、後述）等に入力された数値自体を注文数量として設定することもできるし、注文入力画面４１０等に入力された所定の情報に基づいて所定の演算を行って注文数量を設定することもできる。
【００８７】
この、注文価格ごとの注文数量に関する所定の規則性は、後述する、注文入力画面４１０，５１０，６１０（図１３、図２０、図２９参照）や、選択・修正画面４１１，５１１（図１４、図２１参照）や、変更画面４１２，５１２（図１５、図２２参照）に入力された「規則性の情報」の各種の情報に基づいて形成される。
【００８８】
［注文の階層化］
また、注文情報生成部１６は、注文価格の異なる複数の注文を階層化して注文数量を設定できる。具体的には、注文情報生成部１６は、所定数（０以上の整数）の注文価格の注文を同一の注文数量としてこれを一の階層とし、この階層が複数設けられるように注文情報を生成できる。
【００８９】
例えば、注文情報生成部１６の注文情報の生成によって、合計１０万通貨の取引が、１ドル１１０．００円、１ドル１０９．９０円、１ドル１０９．８０円、１ドル１０９．７０円、１ドル１０９．６０円、１ドル１０９．５０円、という６つの注文で発注される場合を考える。この場合、基準となる注文が最高値の１ドル１１０．００円の注文であり、基準となる注文数量が１万通貨、隣接する２つの注文を１つの階層とし、階層ごとに１，０００通貨ずつ減少する設定だとすると、注文情報生成部１６は、最高値側の第１階層（１ドル１１０．００円、１ドル１０９．９０円）は、構成するそれぞれの注文の注文数量が１万通貨となり、その下の第２階層（１ドル１０９．８０円、１ドル１０９．７０円）は、構成するそれぞれの注文の注文数量が９千通貨となり、一番下の第３階層（１ドル１０９．６０円、１ドル１０９．５０円）は、構成するそれぞれの注文の注文数量が８千通貨となるように、それぞれの注文情報を生成する。
【００９０】
なお、この実施の形態においては、各階層は、それぞれ同じ数ずつの注文が１つの階層を形成していてもよいし、異なる数の注文（例えば高値側から第１階層が３つ、第２階層が２つ、第３階層が１つの注文や、第１階層が３つ、第２階層が２つ、第３階層が３つの注文、等）によってそれぞれの階層が形成されていてもよい。また、それぞれの階層を構成する注文価格は１つであっても２つ以上であってもよいし、特定の階層を構成する注文価格が０個となる（例えば、第１階層が２個の注文価格、第２階層が０個の注文価格、第３階層が２個の注文価格、など）ように構成されていてもよい。
【００９１】
なお、注文情報生成部１６は、階層ごとの注文数量の設定は、注文入力画面４１０（図１３参照、後述）等に入力された数値自体を注文数量として設定することもできるし、注文入力画面４１０等に入力された所定の情報に基づいて所定の演算を行って注文数量を設定することもできる。
【００９２】
また、この実施の形態においては、「階層」は必ずしも上下関係の決まった注文や注文情報によって形成される必要はない。例えば、上の階層が第１階層、下の階層が第２階層を形成する場合に、第２階層の少なくとも一部の注文や注文情報が所定の処理（例えばトレールに基づく注文価格の変動）によって第１階層を構成する注文や注文情報の注文価格と同額以上になったり、第１階層の少なくとも一部の注文や注文情報が所定の処理によって第２階層を構成する注文や注文情報の注文価格と同額以下になったりする構成であってもよい。
【００９３】
［階層化の例］
以下、この実施の形態の金融商品取引管理装置１における、注文情報生成部１６が、注文価格の異なる複数の注文の階層化の例を複数示す。以下の階層化におけるそれぞれの階層を構成するそれぞれの注文の注文数量は、注文入力画面４１０（図１３参照、後述。）等において取引者によって入力された下記（ア）〜（エ）の情報等（例えばこれらの情報のうち少なくとも一部）を用いて決定されることが考えられる。
（ア）取引の全体数量（全ての注文価格の注文数量の総額）
（イ）１階層あたりの最大数量（最大となる１つの階層の、階層全体又は個々の注文価格ごとの注文数量）
（ウ）１段目の注文数量（基準となる階層（例えば最も高値側や最も安値側の階層や、中央の階層）の、階層全体又は個々の注文価格ごとの注文数量）
（エ）階層の数
注文情報生成部１６は、一つの注文価格に設定される一つの売り注文価格や一つの買い注文価格を算出して決定してもよいが、一つの注文価格に設定される一組のイフダン注文（買い注文と売り注文）の注文数量の総額や、一つの注文価格に設定される一組のイフダン注文とストップロス注文との注文数量の総額を算出して決定してもよい。なお、注文数量は、注文入力画面４１０（図１３参照、後述。）等において取引者によって入力されたどのような情報を用いてどのような演算方法によって算出されてもよい。
【００９４】
［階層化の例１（正規ピラミッド型）］
図４は、この実施の形態の金融商品取引管理装置１において設定される階層の第１の例を模式的に示す図である。この第１の例では、階層の増減に伴い１階層ごとの注文数量が比例的に増減する（例えば第１階層が１００００通貨、第２階層が２００００通貨、第３階層が３００００通貨・・・等）ように設定される。
【００９５】
［階層化の例２（倍々増加型）］
図５は、この実施の形態の金融商品取引管理装置１において設定される階層の第２の例を模式的に示す図である。この第２の例では、階層の増減に伴い１階層ごとの注文数量が指数関数的に増減する（例えば第１階層が１００００通貨、第２階層が２００００通貨、第３階層が４００００通貨・・・のように階層ごとに２のべき乗分増加する、等）ように設定される。
【００９６】
［階層化の計算例３（階差指定型）］
図６は、この実施の形態の金融商品取引管理装置１において設定される階層の第３の例を模式的に示す図である。この第３の例では、階層の増減に伴い１階層ごとの注文数量が所定の数量（以下「階差」と称する。）だけ増減する（例えば第１階層が１００００通貨、第２階層が１２０００通貨、第３階層が１４０００通貨・・・のように階層ごとに２０００通貨ずつ増加する、等）ように設定される。
【００９７】
［階層化の具体的設定例１］
図７は、この実施の形態の金融商品取引管理装置１における、階層化の具体的な設定例を模式的に示す第１の図である。同図には、高値側の第１階層（５つの注文価格に１ずつ、合計５本の注文）、安値側の第２階層（５つの注文価格に１ずつ、合計５本の注文）に、合計１０万通貨が注文されるように設定する場合を例示している。
【００９８】
同図に示す通り、ここでは、第１階層には、全体の注文数量（１０万通貨）を全て注文の本数（１０本）で割った値（１万通過）の概ね２／３にあたる、約７千通貨がそれぞれの注文の注文数量として設定される。
【００９９】
第２階層においては、全体の注文数量（１０万通貨）から第１階層全体の注文数量（３万５千通貨）を引いた残りの注文数量（６万５千通貨）を第２階層の注文の本数（５本）で割った概ねの値である、１万３千通貨がそれぞれの注文の注文数量として設定される。
【０１００】
［階層化の具体的設定例２］
図８は、この実施の形態の金融商品取引管理装置１における、階層化の具体的な設定例を模式的に示す第２の図である。同図には、高値側の第１階層（３つの注文価格に１ずつ、合計３本の注文）、真ん中の第２階層（３つの注文価格に１ずつ、合計３本の注文）、安値側の第３階層（４つの注文価格に１ずつ、合計４本の注文）に、合計１０万通貨の注文を設定する場合を例示している。
【０１０１】
同図に示す通り、ここでは、第１階層には、全体の注文数量（１０万通貨）を全ての注文の本数（１０本）で割った値（１万通貨）の概ね３／７である、約４千通貨がそれぞれの注文の注文数量として設定される。
【０１０２】
第２階層においては、第１階層のそれぞれの注文の注文数量の２倍である８千通貨が、それぞれの注文の注文数量として設定される。
【０１０３】
第３階層においては、全体の注文数量（１０万通貨）から第１階層全体、及び第２階層全体の注文数量（２万４千通貨）を引いた残りの注文数量（６万４千通貨）を第３階層の注文の本数（４本）で割った値である、１万６千通貨がそれぞれの注文の注文数量として設定される。
【０１０４】
［階層化の具体的設定例３］
図９は、この実施の形態の金融商品取引管理装置１における、階層化の具体的な設定例を模式的に示す第３の図である。同図には、高値側の第１階層（３つの注文価格に１ずつ、合計３本の注文）、真ん中の第２階層（４つの注文価格に１ずつ、合計４本の注文）、安値側の第３階層（３つの注文価格に１ずつ、合計３本の注文）に、合計１０万通貨の注文を設定する場合を例示している。上記設定例１、設定例２においては、下層の階層にいくほど大きな注文数量になるように設定されたが、この設定例３では、真ん中の第２階層が最も大きな注文数量となり、この第２階層から離れた階層（ここでは第１階層と第３階層）ほど小さな注文数量となるように設定される。
【０１０５】
［階層化の具体的設定例４］
図１０は、この実施の形態の金融商品取引管理装置１における、階層化の具体的な設定例を模式的に示す第４の図である。同図には、高値側の第１階層（３つの注文価格に１ずつ、合計３本の注文）、真ん中の第２階層（４つの注文価格に１ずつ、合計４本の注文）、安値側の第２階層（３つの注文価格に１ずつ、合計３本の注文）に、合計１０万通貨の注文を設定する場合を例示している。この設定例４では、上記設定例３とは逆に、真ん中の第２階層が最も小さな注文数量となり、この第２階層から離れた階層（ここでは第１階層と第３階層）ほど大きな注文数量となるように設定される。
【０１０６】
なお、具体的設定例１乃至具体的設定例４に示したものは階層ごとの注文の注文数量の演算方法の例示であり、具体的設定例１乃至具体的設定例４に示した演算方法を、他のどのような階層数の注文や、どの階層の注文の演算に用いてもよい。また、具体的設定例１乃至具体的設定例４に示した演算方法以外のいかなる演算方法によってそれぞれの階層の注文数量を設定してもよい。
【０１０７】
これらの具体的設定例のような設定方法を用いてそれぞれの階層やそれぞれの注文価格の注文数量を設定することにより、注文価格によって異なる注文数量として注文を設定する場合に、コンピュータシステムを用いた演算によって、それぞれの注文を自動的に適切に設定することを容易に行うことができる。
【０１０８】
［階層化の具体的設定例５・注文画面での選択による設定］
なお、この実施の形態においては、クライアント端末２の表示部２２に、選択・修正画面４１１（図１４参照）、選択・修正画面５１１（図２１参照）、変更画面４１２（図１５参照）、変更画面５１２（図２２参照）を表示させ、これらの選択・修正画面４１１，５１１や変更画面４１２，５１２に階層化を設定するための選択欄（後述）及び入力欄（後述）を設け、この選択欄（後述）及び入力欄（後述）からの選択によって階層の種類や階層の数や１階層ごとの注文価格の数など設定することもできる。このような構成については後述する。
【０１０９】
［階層化の効果］
このように、複数の注文を階層化し、階層ごとに注文数量を設定することにより、複数の注文ごとに、注文数量を大きくして大きな収益を上げることや、注文数量を小さくしてリスク回避を図りつつ、複数の注文を複数の注文価格に設定することができる。
【０１１０】
また、高値側の階層から安値側の階層にかけて注文数量を次第に大きく（又は小さく）することにより、平均コスト（複数の注文価格に設定された全ての注文で金融商品の新規の取引を行った場合における、その取引の平均値のこと。具体的には、全ての取引について、個々の注文価格に当該注文価格における取引数量を乗じたことで得られる数の総和を、注文数量の総和で割った値がこれにあたる。以下本明細書において同じ。）を調整し、より大きな収益を上げることや、リスク回避を図ることを容易に行うことができる。また、このような効果を奏する注文を、コンピュータシステムを用いて自動的に演算したり設定したりする構成を容易に構築することが可能となる。
【０１１１】
［規則性を逸脱した設定・１］
注文情報生成部１６は、金融商品の取引の開始前に、複数の注文価格の注文情報を所定の規則性を有するように設定すると共に、所定の条件に適合する、少なくとも一部の注文情報が、所定の規則性から逸脱するように設定することができる。
【０１１２】
具体的には、例えば、一番最初に注文情報を生成し金融商品の取引を開始したときの、それぞれの注文情報の設定（以下単に「初期設定」と称する。本明細書において同じ。）において、下記（設定１）〜（設定５）のうちの少なくとも何れか一つの設定となっているものが考えられる。
（設定１）
複数の階層における隣接する階層同士の注文数量の数量差が原則的に一定となり、一部の階層の、隣接する他の階層との注文数量の数量差が一定から逸脱した数量差となるように設定する。
（設定２）
特定の階層の複数の注文価格に設けられた複数の注文の注文数量が原則的に一定となり、一部の注文の注文数量が一定から逸脱した数量となるように設定する。
（設定３）
複数の注文の隣り合う注文価格同士が原則的に一定の値幅となり、一部の注文の隣り合う注文価格同士が一定から逸脱した値幅となるように設定する。
（設定４）
複数の階層にそれぞれ複数設けられた注文価格の数が原則的に一定となり、一部の階層の注文価格の数が一定から逸脱した数となるように設定する。
（設定５）
複数の階層にそれぞれ設けられた第一注文と第二注文（たとえばイフダン注文の新規注文と決済注文）との利幅が原則的に一定となり、一部の階層の第一注文と第二注文との利幅が一定から逸脱した数となるように設定する。
【０１１３】
なお、上記（設定１）〜（設定５）は例示であり、上記（設定１）〜（設定５）に挙例したもの以外の金融商品の注文の設定が、原則的に一定であり、少なくとも一部が一定から逸脱するような初期設定となっていてもよい。
【０１１４】
［規則性を逸脱した設定・２］
「注文情報修正手段」としての機能を備えた注文情報生成部１６は、金融商品の取引の開始前に、利用者から入力された情報に基づいて、複数の注文価格の注文情報を所定の規則性を有するように設定すると共に、所定の規則性を有するように設定された注文情報のうち少なくとも一部を、所定の規則性から逸脱するように設定を修正することができる。
【０１１５】
具体的には、例えば、当初は原則的に一定となっている金融商品の注文の設定を、初期設定の際に、［規則性を逸脱した設定・１］に挙例した（設定１）〜（設定５）のうち少なくとも何れか一つに記載したとおり、一定から逸脱するように修正したのちに、取引を開始できる構成となっていることが考えられる。
【０１１６】
なお、一定から逸脱するような修正は、利用者がクライアント端末２の表示部２２に表示された操作用画面（図示せず）においてテキストやグラフィックによって表示された数値情報や画像情報等を操作することで修正される。具体的には、注文情報が生成される前に、表示部２２に選択・修正画面４１１（図１４参照）、選択・修正画面５１１（図２１参照）、変更画面４１２（図１５参照）、変更画面５１２（図２２参照）を表示させ、これらの修正画面４１１，５１１や変更画面４１２，５１２に階層化を設定するための選択欄（後述）及び入力欄（後述）を設け、この選択欄（後述）及び入力欄（後述）からの選択によって、それぞれの階層の注文数量や、特定の階層の注文の注文数量や、注文価格同士の値幅や、特定の階層中の注文価格の数や、利幅などの情報を修正することで行われる。
【０１１７】
［規則性を逸脱した設定・３］
「注文情報修正手段」としての機能を備えた注文情報生成部１６は、金融商品の取引の開始後に、所定の条件を満たした注文情報を、所定の規則性から逸脱するように自動的に設定を修正することができる。
【０１１８】
具体的には、例えば、注文情報生成部１６が、初期設定時には原則的に一定となっている金融商品の注文の設定を、金融商品の取引開始後に、［規則性を逸脱した設定・１］に挙例した（設定１）〜（設定５）のうち少なくとも何れか一つに記載した形で、一定から逸脱するように修正することが考えられる。
【０１１９】
なお、この場合、注文情報生成部１６は、所定の条件が満たされた場合に「一定から逸脱するように修正」する設定を自動的に行う。この所定の条件が満たされた場合とは、具体的には、例えば下記（場合ａ）（場合ｂ）のような場合が考えられる。
【０１２０】
（場合ａ）
特定の注文が約定したのちに、再び発注された場合が考えられる。
たとえば、第一注文（新規注文）と第二注文（決済注文）のイフダン注文がそれぞれ発注・約定されたのちに、再び発注される構成となっている場合に、再び発注された第一注文及び第二注文のうちの一方又は双方の注文数量、注文価格、第一注文と第二注文の利幅、複数の注文価格に第一注文や第二注文が設定されている場合の第一注文同士の値幅や第二注文同士の値幅、等が修正されることが考えられる。
【０１２１】
また、特定の買い注文のみ、あるいは特定の売り注文のみ等が繰り返し発注され約定される構成となっている場合に、約定ののちに再び発注された買い注文、あるいは約定ののちに再び発注された売り注文の、注文数量、注文価格、買い注文同士の値幅、あるいは売り注文同士の値幅等が修正されることが考えられる。
【０１２２】
（場合ｂ）
金融商品の相場価格の変動等に伴って新たな注文価格に新たな注文が発注される場合が考えられる。具体的には、たとえば、相場価格の変動方向の新たな注文価格に新たな注文が設定される、いわゆる注文の「シフト」が行われる場合が考えられる。
【０１２３】
たとえば、第一注文（新規注文）と第二注文（決済注文）のイフダン注文がそれぞれ発注・約定されたのちに、「シフト」によって新たな注文価格に新たな第一注文と新たな第二注文とが発注される構成となっている場合に、新たに発注された第一注文及び第二注文のうちの一方又は双方の注文数量、注文価格、第一注文と第二注文の利幅、複数の注文価格に第一注文や第二注文が設定されている場合の第一注文同士の値幅や第二注文同士の値幅、等が修正されることが考えられる。
【０１２４】
また、特定の買い注文のみや特定の売り注文のみ等が繰り返し発注され約定される構成となっている場合に、約定ののちに「シフト」によって新たに発注された買い注文や売り注文の注文数量、注文価格、複数の注文価格に買い注文や売り注文が設定されている場合の買い注文同士の値幅や売り注文同士の値幅、等が修正されることが考えられる。
【０１２５】
［規則性を逸脱した設定・４］
「注文情報修正手段」としての機能を備えた注文情報生成部１６は、金融商品の取引の開始後に、利用者から入力された、所定の規則性を修正するための修正情報に基づいて、所定の条件を満たした注文情報を、所定の規則性から逸脱するように設定を修正することができる。
【０１２６】
具体的には、例えば、当初は原則的に一定となっている金融商品の注文の設定を、取引開始後に、［規則性を逸脱した設定・１］に挙例した（設定１）〜（設定５）のうち少なくとも何れか一つに記載した形で、一定から逸脱するように修正したのちに、それぞれの注文情報を生成できる構成となっていることが考えられる。
【０１２７】
なお、一定から逸脱するような修正は、利用者がクライアント端末２の表示部２２に、テキストやグラフィックによって表示された数値情報や画像情報等を操作することで修正される。具体的には、注文情報の生成直前に表示部２２に表示される、それぞれの階層の注文数量や、特定の階層の注文の注文数量や、注文価格同士の値幅や、特定の階層中の注文価格の数や、利幅などの情報を修正することで行われる。なお、この実施の形態においては、後述する選択・修正画面４１１（図１４参照）や選択・修正画面５１１（図２１参照）にグラフィック表示された画像やテキスト情報、あるいは、後述する変更画面４１２（図１５参照）や変更画面５１２（図２２参照）へのテキスト情報の入力などによって行うことができる。
【０１２８】
［規則性を逸脱した設定・５］
「注文情報修正手段」としての機能を備えた注文情報生成部１６は、金融商品の取引の開始後に、［規則性を逸脱した設定・１］に挙例した（設定１）〜（設定５）のうち少なくとも何れか一つに記載したように、少なくとも一部が所定の規則性から逸脱した注文の設定を、取引開始後に、全ての注文が所定の規則性となるように修正することを自動的に行う。この所定の条件が満たされた場合とは、具体的には、例えば［規則性を逸脱した設定・３］の（場合ａ）（場合ｂ）に記載したような場合が考えられる。この修正は、金融商品取引管理装置１の特定の構成、例えば注文情報生成部１６や約定情報生成部１４の処理等において行われる。これは、この実施の形態においては、取引開始前、または取引開始後に、表示部２２に表示された、後述する選択・修正画面４１１（図１４参照）や選択・修正画面５１１（図２１参照）にグラフィック表示された画像やテキスト情報、あるいは、後述する変更画面４１２（図１５参照）や変更画面５１２（図２２参照）へのテキスト情報の入力（操作部２１のマウスやキーボードでの入力や、タッチパネル上へのタッチ入力）などによって設定された処理条件等に基づく。
【０１２９】
［規則性を逸脱した設定・６］
「注文情報修正手段」としての機能を備えた注文情報生成部１６は、金融商品の取引の開始後に、利用者から入力された修正情報に基づいて、［規則性を逸脱した設定・１］に挙例した（設定１）〜（設定５）のうち少なくとも何れか一つに記載したように、少なくとも一部が所定の規則性から逸脱した注文の設定を、全ての注文が所定の規則性となるように修正することができる。
【０１３０】
［規則性を逸脱した設定・７］
なお、上記［規則性を逸脱した設定・１］〜［規則性を逸脱した設定・６］の少なくとも何れか一つと共に、あるいはそれらとは別に、注文情報に基づいて取引が行われる注文のうちの少なくとも一部が、部分約定（注文の一部のみが約定されること。）をするように構成することもできる。この場合、注文情報生成部１６だけでなく、約定情報生成部１４も「注文情報修正手段」としての機能を有することが望ましい。
【０１３１】
具体的には、たとえば、発注済みの注文のうちの一部（たとえば１０通貨単位のうちの６通貨単位）のみが、売買取引が成立したものとして約定するように、約定情報生成部１４が処理を行い、注文情報生成部１６は、約定しなかった残りの注文（たとえば１０通貨単位のうちの残りの４通貨単位）について、発注済約定前の注文としての注文情報とする。
【０１３２】
またたとえば、部分約定した注文がイフダン注文の第一注文（新規注文）の場合、注文情報生成部１６は、約定した注文に対応するように、対応する第二注文（決済注文）を約定した分の発注済みの第二注文（たとえば６通貨単位分の発注済みの決済注文）と、約定しなかった第一注文に対応する未発注の第二注文（たとえば４通貨単位分の未発注の第二注文）に分割するように、第二注文の第二注文情報を修正したり再生成したりする処理を行う。
【０１３３】
またたとえば、部分約定した注文が繰り返されるイフダン注文の第二注文の場合、注文情報生成部１６は、部分約定した分の第二注文に対応する第一注文（たとえば６通貨単位分の第一注文）を発注済の状態とするように第二注文の第二注文情報を修正したり再生成したりする処理を行う。
【０１３４】
図１１は、この実施の形態の金融商品取引管理装置１における、複数の注文価格に設定した注文を階層化しない場合と階層化した場合との平均コストの違いを模式的に示した図である。
【０１３５】
図１１の（ａ）に示すように、１ドル１１０．００円を最高値とし、そこから１．００円ずつの値幅で合計１０の注文価格（最安値が１ドル１０１．００円）に、それぞれ注文１本あたり１万通貨の注文数量で、合計１０万通貨の金融商品の注文を発注した場合を考える。この場合、平均コストは、１０５．５０（１１０．００×１０，０００＋１０９．００×１０，０００＋１０８．００×１０，０００＋・・・１０３．００×１０，０００＋１０２．００×１０，０００＋１０１．００×１０，０００）÷１００，０００＝１０５．５０）となる。
【０１３６】
一方、図１１の（ｂ）に示すように、図１１の（ａ）と同じ注文価格に合計１０個の注文を設定し、これを高値側の第１階層３１、安値側の第２階層３２とした場合を考える。このとき、第１階層３１の５つの注文（１ドル１１０．００円〜１ドル１０６．００円）の注文数量を注文１本あたり７千通貨、第２階層３２の５つの注文（１ドル１０５．００円〜１ドル１０１．００円）の注文数量を注文１本あたり１万３千通貨、合計１０万通貨の金融商品の注文として注文を発注したものとする。この場合、平均コストは、１０４．７５（１１０．００×７，０００＋１０９．００×７，０００＋・・・＋１０６．００×７，０００＋１０５．００×１３，０００＋１０４．００×１３，０００＋・・・＋１０１．００×１３，０００）÷１００，０００＝１０４．７５）となる。これを図１１の（ａ）の場合と比較すると、平均コストが７５ｐｉｐｓ（１０５．５０−１０４．７５＝０．７５）つまり０．７％改善していることがわかる。
【０１３７】
さらに、図１１の（ｃ）に示すように、図１１の（ａ）と同じ注文価格に合計１０個の注文を設定し、これを高値側の第１階層３１、真ん中の第２階層３２、安値側の第３階層３３とした場合を考える。このとき、第１階層３１の３つの注文（１ドル１１０．００円〜１ドル１０８．００円）の注文数量を注文１本あたり４千通貨、第２階層３２の３つの注文（１ドル１０７．００円〜１ドル１０５．００円）の注文数量を注文１本あたり８千通貨、第３階層３３の４つの注文（１ドル１０４．００円〜１ドル１０１．００円）の注文数量を注文１本あたり１万６千通貨、合計１０万通貨の金融商品の注文として注文を発注したものとする。この場合、平均コストは、１０４．１２（１１０．００×４，０００＋１０９．００×４，０００＋１０８．００×４，０００＋１０７．００×８，０００＋１０６．００×８，０００＋１０５．００×８，０００＋１０４．００×１６，０００＋１０３．００×１６，０００＋１０２．００×１６，０００＋１０１．００×１６，０００）÷１００，０００＝１０４．１２）となる。これを上記図１１の（ａ）の場合と比較すると、平均コストが１３８ｐｉｐｓ（１０５．５０−１０４．１２＝１．３８）つまり１．３％改善していることがわかる。
【０１３８】
このように、注文価格に応じて注文数量を変化させ、かつ、それらを注文数量ごとに階層化させることにより、平均コストを調整し、より大きな収益を上げることや、リスク回避を図ることを容易に行うことができる。また、このような効果を奏する注文を、コンピュータシステムを用いて自動的に演算したり設定したりする構成を容易に構築することが可能となる。
【０１３９】
［処理手順］
図１２は、この実施の形態の金融商品取引管理装置１の処理手順を示すフローチャートである。以下、同フローチャートを用いてこの実施の形態の処理手順について説明する。なお、以下の説明は「トラップトレード」「トラリピ」「らくトラ」において階層化を行う場合の処理手順について説明するが、これは処理手順の一例であり、上記以外のいかなる注文方法において以下の処理手順を用いてもよい。
【０１４０】
［１．「トラップトレード」における処理手順］
金融商品取引管理システム１Ａにおいて「トラップトレード」による取引を行う場合の処理手順を説明する。
【０１４１】
［１−１．画面入力と注文情報の生成］
金融商品取引管理システム１Ａを利用する取引者は、クライアント端末２を用いて金融商品取引管理装置１にアクセスする。金融商品取引管理装置１のフロントページ配信部１１は、アクセスのあったクライアント端末２の表示部２２に、注文選択画面（図示せず）を表示させる。
【０１４２】
注文選択画面（図示せず）には、取引の種類を選択する取引選択ボタン（図示せず）が表示される。取引選択ボタン（図示せず）により、取引者は、通常の成行注文、指値注文、逆指値注文、ＯＣＯ注文等の他に、前述の「トラップトレード」注文、「トラリピ」注文、「らくトラ」注文等の選択できる。取引者が取引選択ボタン（図示せず）により特定の取引（ここでは「トラップトレード」）を選択し、実行ボタン（図示せず）をクリックすると、金融商品取引管理装置１のフロントページ配信部１１の処理により、クライアント端末２の表示部２２には、図１３に示す注文入力画面４１０が表示される。
【０１４３】
図１３に示す注文入力画面４１０には、前述の取引選択ボタン（図示せず）で選択された注文（図１３では「トラップトレード」注文）が表示される注文表示欄４１ａ、取引を行う金融商品の種類である通貨ペア（例えば、日本円と米ドル、日本円とユーロ、等）を選択する通貨ペア選択ボタン４１ｂ、注文１本あたりの平均注文金額を数値入力で設定する注文金額設定ボタン４１ｃ、最初に発注する、注文価格の異なる第一注文（イフダン注文の新規注文）や注文価格の異なる第二注文（イフダン注文の決済注文）の本数である「トラップ本数」を数値入力で設定するトラップ本数設定ボタン４１ｄが表示される。
【０１４４】
また、注文入力画面４１０には、注文金額設定ボタン４１ｃに入力された注文金額の値とトラップ本数設定ボタン４１ｄに入力されたトラップ本数とを演算して出た値（ここでは双方の値の乗算で出た値）が表示される合計注文金額表示欄４１ｅ、それぞれの第一注文の注文価格やそれぞれの第二注文の注文価格を設定するときの基準価格（例えば、最高値の注文の注文価格、最安値の注文の注文価格、中央の注文の注文価格、等）である「スタート価格」を数値入力するためのスタート価格入力欄４１ｆが表示される。
【０１４５】
また、注文入力画面４１０には、スタート価格入力欄４１ｆに入力されたスタート価格としての注文（例えば、最高値の注文、最安値の注文、等）の種類を選択するための注文種類選択ボタン４１ｇ、注文価格の異なる注文同士の値幅としての「トラップ値幅」の値を数値入力するためのトラップ値幅入力欄４１ｈ、注文の「階層」の数を数値入力するための階層入力欄４１ｊが表示される。
【０１４６】
また、注文入力画面４１０には、それぞれの注文の有効期限（例えば６ヶ月、１年、無期限、等）を選択するための有効期限選択欄４１ｋ、相場の大きな下落又は上昇による「損失」が大きくなることを抑止するための逆指値注文としての「ストップロス注文」を設定するか否か、及び設定したストップロス注文の注文価格を数値入力するためのストップロス注文設定ボタン４１ｍが表示されている。
【０１４７】
また、注文入力画面４１０には、注文パターンを選択するための注文パターン選択欄４１ｎ（チェックボックスにチェックすることで選択する形式の選択欄）と、所定の情報を入力することでそれぞれの注文の詳細を自動的に設定する自動注文設定選択欄４１ｎ１〜４１ｎ４と、所定の規則性を有する注文の一部又は全部について、規則性を逸脱した注文として設定させるための注文変更欄４１ｐ（チェックボックスにチェックすることで選択する形式の選択欄）を備えている。
【０１４８】
取引者は、操作部２１の操作により、注文入力画面４１０において、所望の注文に必要な情報の入力や選択を行う（ステップＳ１）。図１３においては、通貨ペア選択ボタン４１ｂに日本円と米ドルを示す「ＵＳＤ／ＪＰＹ」の選択がされ、注文金額設定ボタン４１ｃには「１（万通貨）」と入力され、トラップ本数設定ボタン４１ｄには「１０（本）」と入力され、スタート価格入力欄４１ｆには「１１０．００（円）」と入力され、注文種類選択ボタン４１ｇは「新規の買い注文」を示す「新規・買」が選択され、トラップ値幅入力欄４１ｈには「１．００（円）」と入力され、階層入力欄４１ｊには「３（階層）」と入力され、有効期限選択欄４１ｋにおいては「無期限」が選択され、ストップロス注文設定ボタン４１ｍはストップロス注文の設定を行わない状態が示されている。
【０１４９】
注文入力画面４１０の自動注文設定選択欄４１ｎ１〜４１ｎ４が選択されて（つまりいずれかのチェックボックスにチェックが入れられて）実行ボタン４１ｑがクリックされると、金融商品取引管理装置１のフロントページ配信部１１の処理により、クライアント端末２の表示部２２には、図１４に模式図を示す、選択・修正画面４１１が表示される。一方、注文変更欄４１ｐが選択されて（つまりチェックボックスにチェックが入れられて）実行ボタン４１ｑがクリックされると、金融商品取引管理装置１のフロントページ配信部１１の処理により、クライアント端末２の表示部２２には、図１５に模式図を示す、変更画面４１２が表示される。
【０１５０】
この実施の形態においては、自動注文設定選択欄４１ｎ１〜４１ｎ４のうちのいずれか一つがクリックされると、予め設定された条件式（たとえば、利用者が設定した取引金額総額や注文期間や直近の金融商品の相場の上昇・下落傾向等を数値化したものを演算することで、階層の数、階層ごとの各注文の注文価格や階層ごとの各注文の注文数量などを算出するための所定の演算式）等に基づいて、選択された型の注文が自動設定される構成となっている。
【０１５１】
例えば、図１４の選択・修正画面４１１においては、図１３の注文入力画面４１０において符号４１ｎ１のピラミッド形が選択され、選択に基づいて所定の演算処理がされた結果が模式的に示されている。この選択・修正画面４１１においては、それぞれの注文の注文数量や、注文価格等を利用者の入力によって修正することができる。
【０１５２】
図１４の選択・修正画面４１１には、クリックすることで、階層型の種類を「ピラミッド形」「逆ピラミッド形」「ひし形」「砂時計形」相互に選択・変更できる階層型選択・変更ボタン４１１０１，４１１０２，４１１０３，４１１０４、通貨ペアの種類を選択・変更できる通貨ペア選択・変更ボタン４１１１１、テキストの数値入力で注文金額の総額を選択・変更する総額変更ボタン４１１１２、テキストの数値入力で注文が設定される注文価格の範囲を変更する価格範囲変更ボタン４１１１３、階層ごとに設けられた、テキストの数値入力で注文価格ごとの注文金額を修正する注文価格変更ボタン４１１２１、テキストの数値入力で階層内の注文価格の数を変更する価格数変更ボタン４１１２２、階層内の注文を指値注文、逆指値注文、成行注文（トリガ成行）を選択するための種類選択ボタン４１１２３が設けられている。
【０１５３】
また、図１４の選択・修正画面４１１には、階層ごとの注文の状態（階層の数、階層ごとの注文価格の数、それぞれの注文の注文金額）をグラフィック表示した階層イメージ４１１３１が表示されている。この階層イメージ４１１３１の中には、それぞれの階層の注文価格ごとの注文数量を表示する注文価格イメージ４１１３２が表示される。この階層イメージ４１１３１は、利用者の操作（たとえば、タッチパネル上のタッチ操作）によって表示される形状や大きさが自在に変形するように構成されており、かつ、階層イメージ４１１３１の大きさや形状に依存して、階層の数や階層ごとの注文数量や注文価格の設定が修正・変更されるように構成されている。従って、利用者が表示部２２に表示された階層イメージ４１１３１の形状や大きさを変化させることによって、注文の状態を直感的に変化させ、設定することが可能になる。
【０１５４】
また、図１４の選択・修正画面４１１には、テキスト入力とチェックボックスへのチェックにより、注文の繰り返しの有無や回数などを設定・変更する繰り返し変更ボタン４１１４１が設けられている。
【０１５５】
一方、図１５に示す変更画面４１２においては、それぞれの注文の内容を修正・変更できる変更欄が設けられている。具体的には、選択により注文ごとの通貨ペアの種類を変更できる通貨ペア変更欄４１２０１、テキスト入力でそれぞれの注文の注文金額を変更する注文金額変更欄４１２０２、選択により売買の種類を変更する売買変更欄４１２０３、テキスト入力で注文ごとの注文価格を変更する注文価格変更欄４１２０４、選択により、注文ごとの指値・逆指値・成行（トリガ成行）の種類を変更する注文種類変更欄４１２０５が設けられている。
【０１５６】
図１５には、これらの変更欄４１２０１〜４１２０５への選択や変更入力により、注文番号１０００の注文４１２１１の注文金額が４０００通貨から４１００通貨に、注文番号１００１の注文４１２１２の注文価格が１０９．０から１０９．１に、注文番号１００２の注文４１２１３の注文種類が指値注文から成行（トリガ成行）注文に変更された状態が模式的に示されている。
【０１５７】
なお、変更画面４１２においては、注文同士の値幅を変更する変更欄を設けて変更可能としたり、トラップ本数や階層の数や注文の有効期限を注文ごとに変更するための変更欄を設けて変更可能とする構成とすることもできる。また、注文を繰り返す場合における、繰り返しの回数を設定したり変更したりする変更欄を設けて変更可能とすることも可能である。
【０１５８】
図１３の注文入力画面４１０（において、自動注文設定選択欄４１ｎ１〜４１ｎ４および注文変更欄４１ｐがチェックされない状態）、図１４の選択・修正画面４１１、図１５の変更画面４１２で実行ボタン４１ｑがクリックされると、取引選択ボタン（図示せず）、及び注文入力画面４１０、選択・修正画面４１１、変更画面４１２で選択・入力されたデータはクライアント端末２から金融商品取引管理装置１に送信される。注文入力受付部１２は、入力された売買注文申込情報を確認する。即ち、有効期限選択欄４１ｋにおいて選択された期限や、注文金額設定ボタン４１ｃ、トラップ本数設定ボタン４１ｄ、スタート価格入力欄４１ｆに入力された値などを検査することで、注文価格の検査を行う（ステップＳ２）。具体的には、注文価格が設定可能な注文価格であるか否か等の検査が行われる。
【０１５９】
続いて、注文入力受付部１２は、検査結果の適否を判断する。価格が適正価格と判断された場合（ステップＳ３の“Ｎｏ”）、口座情報生成部１５が、顧客口座情報テーブル１８２から、その顧客（取引者）の証拠金情報を取得する。
【０１６０】
注文入力受付部１２は、取得された証拠金情報と注文許容額とを比較し（ステップＳ４）、そして、証拠金の額が注文許容額以上であるか否かを判断する（ステップＳ５）。  
ここで、「注文許容額」とは、注文が可能な金額のことである（本明細書において同じ）。この実施の形態における注文許容額は、注文金額設定ボタン４１ｃに入力された値とトラップ本数設定ボタン４１ｄに入力された値とを乗じて得た値である、（１万（通貨）×１０（本）＝）１０万（通貨）である。但し、注文許容額は、当該値に対する所定の比率の値（例えば、１０万（通貨）×０．１＝１万（通貨））であってもよいし、予め定められた所定の金額（例えば、一律に５万（通貨））であってもよいし、上記以外の値や演算方法によって算出した値であってもよい。
【０１６１】
注文情報生成部１６は、証拠金の額が注文許容額以上である場合（ステップＳ５の“Ｎｏ”）にのみ、後述の「注文情報」や「注文情報群」を生成する。これにより、取引者が確実に支払いができる場合にのみ注文を受け付けることができる。
【０１６２】
証拠金の額が注文許容額以上である場合（ステップＳ５の“Ｎｏ”）、注文入力受付部１２は、通貨ペア注文条件テーブル１８３に記録されたデータ等を元に、他の注文条件（すなわち、注文価格以外の条件）と、注文を受け付けるための各種基準とを比較する（ステップＳ６）。そして、他の条件が、これらの基準を満たしているか否かを判定する（ステップＳ７）。
【０１６３】
他の条件がイフダン注文の基準を満たしていない場合（ステップＳ７の“Ｙｅｓ”）、注文入力受付部１２は入力された注文をエラーとして扱い、注文の受付を拒絶する（ステップＳ１０）。
【０１６４】
イフダン注文の各種条件が満たされている場合であって（ステップＳ７の“Ｎｏ”）、注文条件が上述のイフダン注文による指値注文に必要な条件を全て満たしていると判定された場合、フロントページ配信部１１は、クライアント端末２の表示部２２に、生成される注文情報の内容を取引者に確認させるための確認画面（図示せず）を表示させる。確認画面（図示せず）には、注文選択画面（図示せず）及び注文入力画面４１０に入力および選択された注文条件が列記されるとともに、注文ボタン（図示せず）が表示される。注文ボタン（図示せず）は、列記された内容で間違いないと判断された場合に、取引者によってクリックされる。
【０１６５】
取引者の操作部２１の操作により注文ボタン（図示せず）がクリックされると、金融商品取引管理装置１の注文情報生成部１６は、ステップＳ１で入力された売買注文申込情報に基づいて注文情報を生成する（ステップＳ８）。
【０１６６】
具体的には、上述したような手順に従って入力された複数のデータを注文価格毎にグループ化し、各グループにシーケンス番号テーブル１８４のシーケンス番号を割り当てることで、注文情報を生成する（ステップＳ８）。そして、シーケンス番号テーブル１８４に、注文情報に使用されているシーケンス番号を未使用のシーケンス番号と区別するための情報が、付加される。ステップＳ８の処理を一回行うことにより、複数の注文情報が生成される（なお、後述の「トラリピ」「らくトラ」においては、これらの注文情報のうち、イフダン注文を行う第一注文の第一注文情報と、この第一注文に対応する第二注文の第二注文情報とを含む複数の注文情報が「注文情報群」を形成する。）。
【０１６７】
注文情報生成部１６は、生成された注文情報を、注文テーブル１８１に記録する（ステップＳ９）。なお、後述する「トラリピ」「らくトラ」においては、注文テーブル１８１には「注文情報群」も記録される。
【０１６８】
注文情報は、図３に例示として示す各フィールドの定義に基づいて、注文テーブルに記録される。
【０１６９】
図３に示す“ord_seq”フィールド１８１ｂは、ステップＳ８で付与されたシーケンス番号の定義である。“cust_seq”フィールド１８１ｃは、取引者ごとに定められた番号である顧客番号を記録するためのフィールドである。“style_id”フィールド１８１ｄは、商品名を記録するためのフィールドである。“ccy_pair_id”フィールド１８１ｅは、通貨ペア毎に定義されたＩＤ番号を記録するためのフィールドである。このＩＤ番号と通貨ペアとの組合わせは、データベース内に格納されたＩＤテーブル（図示せず）に記録されている。
【０１７０】
図３に示す“ord_amnt”フィールド１８１ｆは、合計注文金額表示欄４１ｅに表示された金額を記録するためのフィールドである。“buy_sell_id”フィールド１８１ｇは、注文種類選択ボタン４１ｇで選択された、売り注文／買い注文の区別を記録するためのフィールドである。“ord_rate”フィールド１８１ｈは、それぞれの注文を行う注文情報に含まれる注文価格の値を記録するためのフィールドである。“limit_time”フィールド１８１ｉは、有効期限選択欄４１ｋにおいて選択された注文期限を記録するためのフィールドである。“ord_cond”フィールド１８１ｊは、注文種類選択ボタン４１ｇで選択された、注文の種類を記録するためのフィールドである。
【０１７１】
図３に示す“new_close”フィールド１８１ｋは、新規注文／決済注文の区別を記録するためのフィールドである。“trap_seq”フィールド１８１ｍは、取引選択ボタン（図示せず）でトラップトレードが選択されたか否かの情報を記録するためのフィールドである。“repeat_flag”フィールド１８１ｎは、イフダン注文を繰り返し行うか否かの情報を記録するためのフィールドである。
【０１７２】
なお、図３には示していないが、注文テーブル１８１には、入力画面４０に入力されたデータ、即ち、通貨ペア選択ボタン４１ｂ、トラップ本数設定ボタン４１ｄ、スタート価格入力欄４１ｆ、トラップ値幅入力欄４１ｈ、階層入力欄４１ｊに入力されたデータを記録するためのフィールドも設けられる。また、後述の「トラリピ」や「らくトラ」の取引を行うための注文情報を生成する際に入力される、第一注文と第二注文との利益幅の情報や、「らくトラ」の取引を行うための注文情報を生成する際に入力される、第一注文や第二注文を設定する価格範囲の上限価格や下限価格の情報を記録するためのフィールドも設けられる。これらのフィールドを用いて、注文入力画面４１０に入力されたデータ、及び、選択・修正画面４１１や変更画面４１２で修正・変更されたデータが、全て注文テーブル１８１に記録される。
【０１７３】
なお、この実施の形態において、「注文情報」は、個々の注文に、図３に示す各フィールドの定義等に基づいて、注文情報（たとえば図１６に示す注文情報４１１，４１２，・・・４１９，４１１０）に属性情報（例えば図１６に示す属性情報１８１Ａ〜１８１Ｍ）を含むデータとして生成される場合を示している。なお、後述するとおり、この実施の形態における注文情報は、各種の属性情報（例えば図１６に示す属性情報１８１Ａ〜１８１Ｍ）が付随して形成されるデータであるとして以下説明する。但し、この実施の形態における「注文情報」を形成する前の所定のデータ（たとえば、発注される予定である、注文価格ごとの注文の表）であり、そのような「注文情報」に基づいてそれぞれの注文が発注されるように構成されていてもよい。
【０１７４】
また、この実施の形態では、図１３に示す注文入力画面４１０、図１４に示す選択・修正画面４１１、図１５に示す変更画面４１２に表示された各種の入力欄に情報を入力することで注文情報や注文情報群を生成する構成とするが、注文入力画面４１０、選択・修正画面４１１、変更画面４１２の入力欄の構成や、入力されるデータの種類は、これらに限定されることはなく、どのようなものであってもよい。例えば、注文入力画面４１０に取引者の所有する証拠金の額に関する情報の入力欄（図示せず）や、取引を行う予定期間としての取引期間の入力欄（図示せず）等が設けられ、注文情報生成部１６が、これらの入力欄（図示せず）に入力された情報に基づいて所定の演算を行うことで、一又は複数の注文価格に注文を発注するための「注文情報」や、それらの注文情報に基づく「注文情報群」が生成されるように構成されてもよい。
【０１７５】
［１−２．注文情報の生成］
金融商品取引管理装置１の注文情報生成部１６は、上記ステップＳ１〜Ｓ１０の手順により、取引選択ボタン（図示せず）、及び注文入力画面４１０で選択・入力された情報に基づいて、「トラップトレード」の取引を行うための注文情報を生成する。
【０１７６】
［１−２−１．注文情報の構成（１）］
図１６及び図１７は、この実施の形態の金融商品取引管理装置１において生成された「トラップトレード」の取引を行うための注文情報を模式的に示す図である。同図に示すように、この実施の形態においては、注文情報生成部１６により、注文の本数がトラップ本数設定ボタン４１ｄに入力された本数（１０本）に等しい数の、１０本の注文情報４１１，４１２，・・・４１９，４１１０が、一の注文手続で生成される。
【０１７７】
注文情報生成部１６は、注文情報４１１，４１２，・・・４１９，４１１０の生成を行う際、上記［階層化の具体的設定例２］に示す計算方法による演算で、それぞれの注文の注文数量の値を設定する。これにより、注文情報生成部１６は、高値側の第１階層３１（図１１参照）の３つの注文（１ドル１１０．００円〜１ドル１０８．００円）の注文数量を注文１本あたり４千通貨、真ん中の第２階層３２（図１１参照）の３つの注文（１ドル１０７．００円〜１ドル１０５．００円）の注文数量を注文１本あたり８千通貨、安値側の第３階層３３（図１１参照）の４つの注文（１ドル１０４．００円〜１ドル１０１．００円）の注文数量を注文１本あたり１万６千通貨となるように、それぞれの注文情報４１１，４１２，・・・４１９，４１１０の注文数量の値を設定する。
【０１７８】
なお、注文情報生成部１６は、注文情報４１１，４１２，・・・４１９，４１１０の生成にあたり、注文入力画面４１０で入力された情報に加え、選択・修正画面４１１や変更画面４１２で修正・変更された情報を用いる。
【０１７９】
図１６には、注文入力画面４１０に入力された情報のみに基づいて４１１，４１２，・・・４１９，４１１０を生成した状態を模式的に示したものである。一方、図１７は、注文入力画面４１０に入力された情報と共に、図１５に示す変更画面４１２において変更した条件に基づいて注文情報４１１の注文金額情報１８１Ｄと注文情報４１２の注文価格情報１８１Ｇとが修正されて生成された状態を示している。なお、図１５には図示しないが、この状態で、注文４１３の注文種類は、「指値注文」から「成行注文（トリガ成行注文）」に変更された状態（図示せぬ属性情報が変更された状態）として生成されている。
【０１８０】
そして、生成されたそれぞれの注文情報４１１，４１２，・・・４１９，４１１０は、図１６に示すような属性情報を備える。具体的には、それぞれの注文情報４１１，４１２，・・・４１９，４１１０は、それぞれの注文情報４１１，４１２，・・・４１９，４１１０に一意に付与される注文番号１８１Ａ、取引者を識別するための顧客番号情報１８１Ｂ、選択された通貨ペアを識別する通貨ペア情報１８１Ｃ、それぞれの注文の注文金額の値としての注文金額情報１８１Ｄ、注文情報４１１，４１２，・・・４１９，４１１０が生成された日時としての注文時刻情報１８１Ｅ、売り注文と買い注文とを識別するための売買情報１８１Ｆ、それぞれの注文の注文価格の値としての注文価格情報１８１Ｇ、注文の有効期限としての注文期限情報１８１Ｈ、注文がイフダン注文である場合の新規注文と決済注文とを識別する新規／決済情報１８１Ｊ、注文が有効（発注済）と無効（未発注）のいずれかを識別する有効／無効情報、注文がイフダン注文である場合の第一順位（新規注文）と第二順位（決済注文又はストップロス注文）のいずれかを識別する順位情報１８１Ｌ、約定の有無（約定済か未約定か）を識別する約定有無情報１８１Ｍを備える。
【０１８１】
なお、これらの属性情報１８１Ａ〜１８１Ｍの全部又は一部は、個々の注文情報４１１，４１２，・・・４１９，４１１０に記録されていてもよいし、個々の注文情報４１１，４１２，・・・４１９，４１１０とは別にデータベース１８１等に記録されていてもよい。
【０１８２】
［１−２−２．注文情報の構成（２）］
なお、上記［１−１］にて説明したとおり、それぞれの注文情報４１１，４１２，・・・４１９，４１１０は、属性情報（例えば、図１６に示すような属性情報１８１Ａ〜１８１Ｍ）のうちの一部又は全部を有しない所定のデータ（たとえば、発注される予定である、注文価格ごとの（属性情報なしの）注文を表に表したようなもの）として構成されてもよい。
【０１８３】
この場合、注文情報４１１，４１２，・・・４１９，４１１０が有していない、属性情報（例えば、図１６に示すような属性情報１８１Ａ〜１８１Ｍ）のうちの少なくとも何れか一つは、注文情報４１１，４１２，・・・４１９，４１１０が生成された後、かつ取引が行われる前の任意のタイミングで付加されて、その状態で金融商品の取引が行われてもよいし、金融商品取引管理システム１Ａを構成する金融商品取引管理装置１（特定の金融商品取引業者が所持するシステムと取引所のシステムとで一の金融商品取引管理装置１を構成するような、複数のシステムで一の金融商品取引管理装置１を構成するような場合も含む）、またはクライアント端末２、または金融商品取引管理装置１以外のサーバ機能を有する装置が、属性情報（例えば、図１６に示すような属性情報１８１Ａ〜１８１Ｍ）のうちの少なくとも何れか一つを機能手段（たとえばプログラムの実行によって実現される機能手段）として実行することで実現されてもよい。これにより、金融商品の取引が行われる。
【０１８４】
［１−２−３．注文情報の生成のタイミング］
この実施の形態において、注文情報生成部１６は、図１３に示す注文入力画面４１０の実行ボタン４１ｑがクリックされた直後に全ての注文情報４１１，４１２，・・・４１９，４１１０をまとめて生成する構成となっている。しかし、これに限定されず、それぞれの注文情報４１１，４１２，・・・４１９，４１１０のうちの一部又は全部は、どのタイミングで生成されてもよい。
【０１８５】
具体的には、たとえば、同じ注文１４１１，１４１２，・・・１４１９，１４１１０（図１８、図１９参照）の発注と約定とが繰り返される場合（この場合は図１８、図１９には図示していない。）、注文情報生成部１６は、生成された、それぞれの注文情報４１１，４１２，・・・４１９，４１１０によって発注されたそれぞれの注文１４１１，１４１２，・・・１４１９，１４１１０が約定するごとに新たな注文情報４１１，４１２，・・・４１９，４１１０を生成してもよい。
【０１８６】
また、注文情報生成部１６は、繰り返し取引を行う複数の注文１４１１，１４１２，・・・１４１９，１４１１０（たとえば、同一の注文価格で繰り返し買い注文を行う複数の注文１４１１，１４１１，１４１１，・・・）を行うための複数の注文情報４１１，４１２，・・・４１９，４１１０を、実行ボタン４１ｑがクリックされたときにまとめて生成してもよい。また、特定の注文１４１の取引を行うための注文情報４１が生成されてその注文１４１１，１４１２，・・・１４１９，１４１１０が約定される前に、新たに発注される注文１４１１，１４１２，・・・１４１９，１４１１０の注文情報４１１，４１２，・・・４１９，４１１０が生成されてもよい。
【０１８７】
また、後述するとおり、この実施の形態においては、図１３に示す注文入力画面４１０等の実行ボタン４１ｑがクリックされた直後に、注文情報生成部１６は、注文１４１１，１４１２，・・・１４１９，１４１１０を取引するための注文情報４１を、属性情報（例えば、図１６に示すような属性情報１８１Ａ〜１８１Ｍ）を含むものとして生成するものとするが、これに限定されず、図１３に示す注文入力画面４１０等の実行ボタン４１ｑがクリックされた直後に、注文情報生成部１６は、属性情報（例えば、図１６に示すような属性情報１８１Ａ〜１８１Ｍ）のうちの少なくとも一部を含まない注文情報４１１，４１２，・・・４１９，４１１０を生成し、生成された際に注文１４１１，１４１２，・・・１４１９，１４１１０に含まれていなかった属性情報（例えば、図１６に示すような属性情報１８１Ａ〜１８１Ｍ）を、事後的に注文情報４１１，４１２，・・・４１９，４１１０に付加する構成とすることもできる。なお、この、注文情報４１１，４１２，・・・４１９，４１１０に対する属性情報（例えば、図１６に示すような属性情報１８１Ａ〜１８１Ｍ）の付加は、注文情報４１１，４１２，・・・４１９，４１１０を生成したシステムと同一のシステム（たとえば、金融商品取引管理装置１を構成する、特定の金融商品取扱業者が所持・管理するサーバシステム）において行われてもよいし、別個のシステム（たとえば、取引所の所持・管理する、金融商品取引管理装置１を構成するシステムや、個々の利用者等の操作するクライアント端末２）において付加されてもよい。
【０１８８】
また、後述するとおり、この実施の形態においては、図１３に示す注文入力画面４１０の実行ボタン４１ｑが１回クリックされることにより、注文情報生成部１６は、その後の全ての注文情報４１１，４１２，・・・４１９，４１１０を生成するものとするが、これに限定されず、図１３に示す注文入力画面４１０の実行ボタン４１ｑが複数回クリックされることで、注文情報生成部１６に対して複数回にわたって注文情報４１１，４１２，・・・４１９，４１１０の生成命令が入力されて、これにより、注文情報生成部１６が複数回にわたって注文情報４１１，４１２，・・・４１９，４１１０を生成する構成としてもよい。また、図１３に示す注文入力画面４１０等の実行ボタン４１ｑが１回クリックされることで、複数の注文情報の生成命令が形成され、これらの注文情報の生成命令が、順次、注文情報生成部１６に注文の生成を行わせることで、注文情報生成部１６が複数回にわたって注文情報４１１，４１２，・・・４１９，４１１０を生成する構成としてもよい。  
［１−３．取引の手順］
図１８、及び図１９は、このようにして生成された注文情報４１１，４１２，・・・４１９，４１１０、に基づいて行われる「トラップトレード」の注文を模式的に示す図である。なお、同図においては、対応する注文情報と注文とを、符号の下２桁と添え字とを同一にして表示している。たとえば、注文情報４１１に基づいて取引が行われる注文１４１１、注文情報４１２に基づいて取引が行われる注文１４１２、・・・のように表示している。同図に示す全ての注文１４１１，１４１２，・・・，１４１９，１４１１０は、一の注文手続で生成された注文情報４１１，４１２，・・・４１９，４１１０に基づいて取引が行われる。
【０１８９】
なお、図１８は、注文入力画面４１０の入力のみに基づいて生成された注文情報４１１，４１２，・・・４１９，４１１０によって設定された注文１４１１，１４１２，・・・１４１９，１４１１０を模式的に示したものである。図１９は、図１５に示す変更画面４１２において変更が行われた結果、一部に修正や変更が行われた注文情報４１１，４１２，・・・４１９，４１１０に基づいて設定された、一部が変更された注文１４１１，１４１２，・・・１４１９，１４１１０を模式的に示している。
【０１９０】
図１８、及び図１９に示すように、高値側の３つの注文１４１１，１４１２，１４１３は注文数量４０００の第１階層３１を、真ん中の３つの注文１４１４，１４１５，１４１６は注文数量８０００の第２階層３２を、安値側の４つの注文１４１７，１４１８，１４１９，１４１１０は注文数量１６０００の第３階層３３を、それぞれ形成している。
【０１９１】
注文情報生成部１６が注文情報４１１に含まれる有効／無効情報１８１Ｋを「無効」から「有効」に変換する処理を行うことで、注文１４１１が発注する。
【０１９２】
相場価格が注文１４１１の注文価格に至ると（即ち、相場価格が注文情報４１に含まれる注文価格情報１８１Ｇに一致すると）、約定情報生成部１４が注文情報４１１に含まれる約定有無情報１８１Ｍを「無」から「有」に変換する処理を行い、注文１４１１が約定する。
【０１９３】
他の注文、たとえば注文１４１２においても同様に、注文情報生成部１６と約定情報生成部１４とが注文情報４１２（図１６参照）に処理を行うことにより、注文１４１２の発注や、相場価格が変動して注文１４１２の注文価格に一致したときの約定が行われる。
【０１９４】
［１−４．注文の修正］
この実施の形態においては、注文情報生成部１６が注文情報４１１，４１２，・・・４１９，４１１０を生成して取引が開始された後、所定の条件が満たされた場合に注文１４１１，１４１２，・・・，１４１９，１４１１０が修正される。具体的には、特定の注文たとえば注文１４１１を取引するための特定の注文情報たとえば注文情報４１１の属性情報１８１Ａ〜１８１Ｍ等が修正されることで、その注文たとえば注文１４１１の内容が修正される。なお、修正の対象となる注文１４１１，１４１２，・・・，１４１９，１４１１０および対応する注文情報４１１，４１２，・・・４１９，４１１０は、全てであってもよいしそのうち一部のみであってもよい。
【０１９５】
この所定の条件としては、例えば下記のような修正条件が考えられる。
【０１９６】
（修正条件１）注文情報４１１，４１２，・・・４１９，４１１０が生成され、特定の注文たとえば注文１４１１による取引が開始された後、その注文１４１１の変更を行った場合が該当する。
【０１９７】
具体的には、例えば、利用者がクライアント端末２の表示部２２に、図１４に示す選択・修正画面４１１や、図１５に示す変更画面４１２を表示させ、一部又は全部の注文たとえば注文１４１１の内容を変更した場合が考えられる。例えば、一の買い注文たとえば買い注文１４１１が発注されたのちに、その買い注文１４１１の注文価格や注文数量や指値注文・成行注文・逆指値注文の態様などを変更させる場合がこれに対応する。
【０１９８】
（修正条件２）注文情報４１１，４１２，・・・４１９，４１１０が生成され、注文１４１１，１４１２，・・・，１４１９，１４１１０の取引が開始された後に、その注文１４１１，１４１２，・・・，１４１９，１４１１０が繰り返し行われるときに、繰り返し生成される注文情報４１１，４１２，・・・４１９，４１１０の内容が自動的に変更される場合が考えられる。
【０１９９】
具体的には、例えば、一の注文情報たとえば注文情報４１１に基づいて一の買い注文たとえば買い注文１４１１が発注されて約定したのち、一の注文情報たとえば注文情報４１１が再度生成されたときに、この注文情報４１１の属性情報のうちの少なくとも一部が先に生成された注文情報４１１の属性情報とは異なる情報として生成されることが考えられる。そして、これにより、２回目以降に生成された注文情報４１１に基づいて取引される買い注文１４１１の内容が、先の買い注文１４１１の内容とは異なるように設定される場合が考えられる。
【０２００】
なお、（修正条件２）の注文情報４１１，４１２，・・・４１９，４１１０の内容の変更は、利用者が注文入力画面４１０等で最初の注文を設定したときの予め設定された条件によって、注文情報４１１，４１２，・・・４１９，４１１０の生成が繰り返される際に行われてもよいし、注文情報４１１，４１２，・・・４１９，４１１０の生成が繰り返されたのちに、生成された注文情報４１１，４１２，・・・４１９，４１１０に対する設定の変更が行われた結果として行われてもよい。
【０２０１】
なお、上述したとおり、図１９は、図１８に示す注文情報４１１，４１２，・・・４１９，４１１０について、（修正条件１）や（修正条件２）に基づいて修正が行われた結果として、注文１４１１，１４１２，・・・１４１９，１４１１０の一部に修正や変更が行われた状態を模式的に示している。
【０２０２】
［２．「トラリピ」における処理手順］
次に、金融商品取引管理システム１Ａにおいて「トラリピ」による取引を行う場合の処理手順を説明する。
【０２０３】
［２−１．注文情報の生成］
取引者が注文選択画面（図示せず）において「トラリピ」を選択し、実行ボタン（図示せず）をクリックすると、金融商品取引管理装置１のフロントページ配信部１１の処理により、クライアント端末２の表示部２２には、図２０に示す注文入力画面５１０が表示される。
【０２０４】
図２０に示す注文入力画面５１０には、図１３に示す注文入力画面４１０と同様の、注文表示欄４１ａ、通貨ペア選択ボタン４１ｂ、注文金額設定ボタン４１ｃ、トラップ本数設定ボタン４１ｄ、合計注文金額表示欄４１ｅ、スタート価格入力欄４１ｆ、注文種類選択ボタン４１ｇ、トラップ値幅入力欄４１ｈ、階層入力欄４１ｊ、有効期限選択欄４１ｋ、ストップロス注文設定ボタン４１ｍが表示される。
【０２０５】
また、これらに加え、注文入力画面５１０には、注文表示欄４１ａにおいて選択された取引におけるそれぞれの注文価格の設定方法（例えば、第一注文同士や第二注文同士の「値幅を指定」する設定や、イフダン注文を行う第一注文と第二注文との「利幅を指定」する設定等が考えられる。）を選択する価格指定方法選択ボタン５１ａ、イフダン注文を行うための第一注文と第二注文との約定によって得られる利益の幅（たとえば「約定によって得られる○○銭分の利益」等）である「利益幅」を数値入力するための利益幅設定欄５１ｂ、利益幅設定欄５１ｂに入力された値に所定の演算を行うことで得られる利益金額が表示される利益金額表示欄５１ｃ、イフダン注文の第二注文に、相場価格の上昇又は下落に追従して取引価格が高値方向又は安値方向に変動する「トレール」を設定する注文としての「決済トレール」の設定を行うか否かを選択する決済トレール選択ボタン５１ｄが表示される。なお、利益幅設定欄５１ｂに利益幅が入力される構成に替えて、第一注文と第二注文との約定によって得られる利益額（たとえば「約定によって得られる○○銭の利益」）が数値入力される入力欄が設けられ、この入力欄に入力された値によって以後の処理が行われる構成であってもよい。
【０２０６】
なお、注文入力画面５１０のトラップ本数設定ボタン４１ｄは、最初に発注する、注文価格の異なる第一注文（イフダン注文の新規注文）や注文価格の異なる第二注文（イフダン注文の決済注文）の本数を数値入力で設定するために用いられる。また、注文入力画面５１０のスタート価格入力欄４１ｆは、特定の第一注文や特定の第二注文（例えば、最高値の第一注文、最安値の第二注文、中央の第一注文や中央の第二注文等）のスタート価格を設定するために用いられる。
【０２０７】
取引者は、この注文入力画面５１０において、所望の注文に必要な情報の入力や選択を行う。注文入力画面４１０と共通のボタンには、注文入力画面４１０と同様の入力が行われる。図２０の注文入力画面５１０においては、注文入力画面４１０と共通のボタンに図１３と同様の入力がされた状態が示されている。なお、スタート価格入力欄４１ｆには、最高値の第一注文の注文価格が入力されている。また、注文種類選択ボタン４１ｇは第一注文が「新規の買い注文」であることを示す「新規・買」が選択されている。また、トラップ値幅入力欄４１ｈには「１．００（円）」と入力され、階層入力欄４１ｊには「３（階層）」と入力され、有効期限選択欄４１ｋにおいては「無期限」が選択され、ストップロス注文設定ボタン４１ｍには、ストップロス注文の設定を選択するチェックボックスにチェックが入力されると共にストップロス注文を１００．００円とする数値入力がされた状態が示されている。
【０２０８】
また、図２０の注文入力画面５１０においては、価格指定方法選択ボタン５１ａに、第一注文同士や第二注文同士の「値幅を指定」する設定が選択され、利益幅設定欄５１ｂには「１００（銭）」が入力され、決済トレール選択ボタン５１ｄは「決済トレール」を「設定する」が選択された状態が示されている。
【０２０９】
［２−２．注文入力画面等の構成］
また、図２０に示す注文入力画面５１０には、図１３に示す注文入力画面４１０と同様の、自動注文設定選択欄４１ｎ１〜４１ｎ４と、注文変更欄４１ｐが設けられている。
【０２１０】
注文入力画面５１０の自動注文設定選択欄４１ｎ１〜４１ｎ４の何れか、たとえば「ピラミッド形」を選択する自動注文設定選択欄４１ｎ１がクリックされると、金融商品取引管理装置１のフロントページ配信部１１の処理により、クライアント端末２の表示部２２には、図２１に示す、選択・修正画面５１１が表示される。
【０２１１】
この選択・修正画面５１１は、図１４に示す選択・修正画面４１１と基本的な構成は同じである。即ち、選択・修正画面５１１の階層型選択・変更ボタン５１１０１，５１１０２，５１１０３，５１１０４は、選択・修正画面４１１の階層型選択・変更ボタン４１１０１，４１１０２，４１１０３，４１１０４と同じ構成である。
【０２１２】
選択・修正画面５１１の通貨ペア選択・変更ボタン５１１１１、総額変更ボタン５１１１２、価格範囲変更ボタン５１１１３は、選択・修正画面４１１の通貨ペア選択・変更ボタン４１１１１、総額変更ボタン４１１１２、価格範囲変更ボタン４１１１３と同じ構成である。選択・修正画面５１１の注文価格変更ボタン５１１２１、価格数変更ボタン５１１２２、種類選択ボタン４１１２３は、選択・修正画面４１１の注文価格変更ボタン４１１２１、価格数変更ボタン４１１２２、種類選択ボタン４１１２３と同じ構成である。選択・修正画面５１１の階層イメージ５１１３１は、選択・修正画面４１１の階層イメージ４１１３１がと同じ構成である。
【０２１３】
なお、選択・修正画面５１１の第一注文価格イメージ５１１３２、第二注文価格イメージ５１１３３は、選択・修正画面４１１の注文価格イメージ４１１３２と同様の構成のものが、第一注文、第二注文のそれぞれに対応して設けられたものである。
【０２１４】
選択・修正画面５１１の繰り返し変更ボタン５１１４１は、選択・修正画面４１１の繰り返し変更ボタン４１１４１と同じ構成である。
【０２１５】
一方、注文変更欄４１ｐが選択されて実行ボタン４１ｑがクリックされると、金融商品取引管理装置１のフロントページ配信部１１の処理により、クライアント端末２の表示部２２には、図２２に示す変更画面５１２が表示される。この変更画面５１２は、基本的な構成は図１５に示す変更画面４１２と同じである。即ち、変更画面５１２の通貨ペア変更欄５１２０１、注文金額変更欄５１２０２、売買変更欄５１２０３、注文価格変更欄５１２０４、注文種類変更欄５１２０５は、変更画面４１２の通貨ペア変更欄４１２０１、注文金額変更欄４１２０２、売買変更欄４１２０３、注文価格変更欄４１２０４、注文種類変更欄４１２０５と同じ構成である。
【０２１６】
図１２においては、これらの変更欄５１２０１〜５１２０５への選択や変更入力により、注文番号１０３０，１０３１，１０３２の注文５１２１１，５１２１２，５１２１３の注文金額が４０００通貨から４１００通貨に、注文番号１０３３，１０３４の注文５１２１４，５１２１５の１０３３，１０３４の注文５１２１４，５１２１５の注文価格が１０９．０から１０９．１に、注文番号１０３６の注文５１２１６の注文種類が指値注文から成行（トリガ成行）注文に変更された状態が示されている。
【０２１７】
図２０の注文入力画面５１０（において、自動注文設定選択欄４１ｎ１〜４１ｎ４および注文変更欄４１ｐがチェックされない状態）、図２１の選択・修正画面５１１、図２２の変更画面５１２で実行ボタン４１ｑがクリックされると、取引選択ボタン（図示せず）、及び注文入力画面５１０、選択・修正画面５１１、変更画面５１２で選択・入力されたデータはクライアント端末２から金融商品取引管理装置１に送信される。金融商品取引管理装置１の注文情報生成部１６は、取引選択ボタン（図示せず）、及び注文入力画面５１０、選択・修正画面５１１、変更画面５１２で選択・入力された情報に基づいて、「トラリピ」の取引を行う為の情報である、第一注文による取引を行うための第一注文情報５１１，５１２，・・・５１９，５１１０、第二注文による取引を行うための第二注文情報５２１，５２２，・・・５２９，５２１０、ストップロス注文による取引を行うための逆指値注文情報５３１、５３２、・・・５３９、５３１０、が生成される。
【０２１８】
［２−３．生成された注文情報］
図２３、図２４、図２５、図２６は、取引選択ボタン（図示せず）、及び注文入力画面５１０で選択・入力された情報に基づいて生成された第一注文と第二注文とを模式的に示した図である。
【０２１９】
同図に示す通り、注文情報生成部１６においては、トラップ本数設定ボタン４１ｄに入力された本数（１０本）に等しい数の、１０本の第一注文情報５１１，５１２，・・・５１９，５１１０、１０本の第二注文情報５２１，５２２，・・・５２９，５２１０、１０本の逆指値注文情報５３１、５３２、・・・５３９、５３１０が、一の注文手続で生成される。イフダン注文が行われる注文の組を形成する第一注文情報５１１と第二注文情報５２１、第一注文情報５１２と第二注文情報５２２、・・・第一注文情報５１９と第二注文情報５２９、第一注文情報５１１０と第二注文情報５２１０、さらに、それらのイフダン注文に対するストップロス注文を形成する逆指値注文情報５３１、５３２、・・・５３９、５３１０は、それぞれ注文情報群５４１、５４２、・・・５４９、５４１０を形成する。
【０２２０】
そして、注文情報生成部１６は、第一注文情報５１１，５１２，・・・５１９，５１１０、第二注文情報５２１，５２２，・・・５２９，５２１０の生成を行う際、上記［階層化の計算例２］に示す計算方法による演算で、それぞれの注文の注文数量の値を設定する。これにより、注文情報生成部１６は、高値側の第１階層の３つの注文（１ドル１１０．００円〜１ドル１０８．００円）の注文数量を注文１本あたり４千通貨、真ん中の第２階層の３つの注文（１ドル１０７．００円〜１ドル１０５．００円）の注文数量を注文１本あたり８千通貨、安値側の第３階層の４つの注文（１ドル１０４．００円〜１ドル１０１．００円）の注文数量を注文１本あたり１万６千通貨となるように、それぞれの第一注文情報５１１，５１２，・・・５１９，５１１０、それぞれの第二注文情報５２１，５２２，・・・５２９，５２１０、それぞれの逆指値注文情報５３１，５３２，・・・５３９，５３１０の注文数量の値（図２３、図２５における注文金額情報１８１Ｄの値）を設定する。また、図２１に示す選択・修正画面５１１で注文情報の修正が行われた場合は、修正された値に基づく第一注文情報５１１，５１２，・・・５１９，５１１０、第二注文情報５２１，５２２，・・・５２９，５２１０、逆指値注文情報５３１，５３２，・・・５３９，５３１０、が生成されることで、修正された注文情報群５４１、５４２、・・・５４９、５４１０、が生成される。
【０２２１】
なお、図２５に示すとおり、注文番号１１３０の第一注文情報５１１、注文番号１１３１の第二注文情報５２１、注文番号１１３２の逆指値注文情報５３１の注文金額情報１８１Ｄは４０００通貨から４１００通貨に変更されている。また、注文番号１１３３の第一注文情報５１２の注文価格情報１８１Ｇは１０９．０から１０９．１に変更され、注文番号１１３４の第二注文情報５２２の注文価格情報１８１Ｇは１１０．０から１１０．１に変更されている。また、図２５に図示しないが、注文番号１１３６の第一注文情報５１３の注文種類は、「指値注文」から「成行注文（トリガ成行注文）」に変更されている。これは、変更画面５１２における入力に基づいて変更が行われた結果である。
【０２２２】
［２−４．注文情報の生成のタイミング］
この実施の形態において、注文情報生成部１６は、図２０に示す注文入力画面５１０の実行ボタン４１ｑがクリックされた直後に（１回目のイフダン注文を行うための）全ての第一注文情報５１１，５１２，・・・５１９，５１１０、（１回目のイフダン注文を行うための）全ての第二注文情報５２１，５２２，・・・５２９，５２１０、（１回目のイフダン注文で損切りを行うための）全ての逆指値注文情報５３１，５３２，・・・５３９，５３１０をまとめて生成する構成となっている。しかし、これに限定されず、それぞれの第一注文情報５１１，５１２，・・・５１９，５１１０、それぞれの第二注文情報５２１，５２２，・・・５２９，５２１０、それぞれの逆指値注文情報５３１，５３２，・・・５３９，５３１０のうちの一部又は全部は、どのタイミングで生成されてもよい。
【０２２３】
具体的には、たとえば、注文情報生成部１６は、特定の第一注文たとえば第一注文１５１１と特定の第二注文たとえば第二注文１５２１によるイフダン注文が成立するごとに新たな第一注文情報５１１と新たな第二注文情報５２１（さらに、第二注文１５２１が約定するごとに対応する逆指値注文情報５３１がキャンセル処理される設定の場合は、新たな逆指値注文情報５３１も）を生成してもよい。また、注文情報生成部１６は、特定の第一注文たとえば第一注文１５１１の約定により、その第一注文１５１１を決済する第二注文１５２１を取引するための第二注文情報たとえば第二注文情報５２１を生成したり、特定の第一注文たとえば第一注文１５１１の約定により保有したポジションを決済する特定の第二注文たとえば第二注文１５２１の約定の後に、新たな第一注文たとえば先の第一注文１５１１と同じ注文価格の第一注文１５１１を取引する第一注文情報５１１が生成したりしてもよい。また、注文情報生成部１６は、生成された第一注文情報５１１，５１２，・・・５１９，５１１０や第二注文情報５２１，５２２，・・・５２９，５２１０や逆指値注文情報５３１，５３２，・・・５３９，５３１０の内容（属性情報（例えば、図１６に示すような属性情報１８１Ａ〜１８１Ｍ）で設定された各種の情報など）を、第一注文情報５１１，５１２，・・・５１９，５１１０によって取引される第一注文１５１１，１５１２，・・・１５１９，１５１１０の発注後約定前、または、第二注文情報５２１，５２２，・・・５２９，５２１０によって取引される第二注文１５２１，１５２２，・・・１５２９，１５２１０の発注後約定前に、修正したり追加したりしてもよい。また、注文情報生成部１６は、第一注文情報５１１，５１２，・・・５１９，５１１０及び第二注文情報５２１，５２２，・・・５２９，５２１０によって発注と約定が繰り返し行われる第一注文１５１１，１５１２，・・・１５１９，１５１１０や第二注文１５２１，１５２２，・・・１５２９，１５２１０の注文数量や注文価格を、繰り返しの際に修正されたり追加されたりしてもよい。
【０２２４】
なお、以下、この実施の形態の説明においては、注文情報生成部１６は、［トラップリピートイフダン］と［らくトラ］において、イフダン注文の第一注文１５１１，１５１２，・・・１５１９，１５１１０と第二注文１５２１，１５２２，・・・１５２９，１５２１０とが約定されるたびに新たな第一注文情報５１１，５１２，・・・５１９，５１１０及び第二注文情報５２１，５２２，・・・５２９，５２１０を生成する（たとえば、特定の第一注文情報５１１に基づく第一注文１５１１と、特定の第二注文情報たとえば第二注文情報５２１に基づく第二注文１５２１とが約定することで特定のイフダン注文が成立するたびに、注文情報生成部１６が、そのイフダン注文を繰り返し行うための新たな第一注文情報５１１と新たな第二注文情報５２１とを生成する。など。）ものとするが、これに限定されることはなく、たとえば、図１３に示す注文入力画面４１０の実行ボタン４１ｑがクリックされた直後に、注文情報生成部１６が、繰り返してあらわれる第一注文１５１１，１５１２，・・・１５１９，１５１１０を取引するための第一注文情報５１１，５１２，・・・５１９，５１１０や、繰り返してあらわれる第二注文１５２１，１５２２，・・・１５２９，１５２１０を取引するための第二注文情報５２１，５２２，・・・５２９，５２１０や、繰り返してあらわれるストップロス注文１５３１，１５３２，・・・１５３９，１５３１０を取引するための逆指値注文情報５３１，５３２，・・・５３９，５３１０を全てまとめて生成してもよい（たとえば、第一注文情報５１１，５１２，・・・５１９，５１１０と第二注文情報５２１，５２２，・・・５２９，５２１０と逆指値注文情報５３１，５３２，・・・５３９，５３１０、それぞれｎ個（ｎ＞１）。つまり、第一注文１５１１，１５１２，・・・１５１９，１５１１０と第二注文１５２１，１５２２，・・・１５２９，１５２１０とで、それぞれｎ回のイフダン注文を繰り返し行える個数分まとめて生成する。）。
【０２２５】
また、注文情報生成部１６は、繰り返してイフダン注文を行う特定の第一注文と特定の第二注文たとえば第一注文１５１１と第二注文１５２１を取引するための第一注文情報たとえば第一注文情報５１１と第二注文情報たとえば第二注文情報５２１だけを複数まとめて生成してもよい。
【０２２６】
また、注文情報生成部１６は、繰り返してあらわれる第一注文１５１１，１５１２，・・・１５１９，１５１１０を取引するための第一注文情報５１１，５１２，・・・５１９，５１１０や、繰り返してあらわれる第二注文１５２１，１５２２，・・・１５２９，１５２１０を取引するための第二注文情報５２１，５２２，・・・５２９，５２１０や、繰り返してあらわれるストップロス注文１５３１，１５３２，・・・１５３９，１５３１０を取引するための逆指値注文情報５３１，５３２，・・・５３９，５３１０を、特定の回数分、たとえば最初の３回分だけ、まとめて生成してもよい。あるいは、前述した注文の「シフト」が行われた以降の、「シフト」により形成された第一注文（図示せず）を取引するための第一注文情報（図示せず）、「シフト」により形成された第二注文（図示せず）を取引するための第二注文情報（図示せず）、「シフト」により形成された逆指値注文（図示せず）を取引するための逆指値注文情報（図示せず）、などをまとめて生成してもよい。
【０２２７】
また、後述するとおり、この実施の形態においては、図２０に示す注文入力画面５１０の実行ボタン４１ｑがクリックされた直後に、注文情報生成部１６は、第一注文１５１１，１５１２，・・・１５１９，１５１１０を取引するための第一注文情報５１１，５１２，・・・５１９，５１１０や、第二注文１５２１，１５２２，・・・１５２９，１５２１０を取引するための第二注文情報５２１，５２２，・・・５２９，５２１０や、ストップロス注文１５３１，１５３２，・・・１５３９，１５３１０を取引するための逆指値注文情報５３１，５３２，・・・５３９，５３１０を、属性情報（例えば、図２３、図２４、図２５、図２６に示すような属性情報１８１Ａ〜１８１Ｍ）を含むものとして生成するものとするが、これに限定されず、図２０に示す注文入力画面５１０の実行ボタン４１ｑがクリックされた直後に、注文情報生成部１６は、属性情報（例えば、図２３、図２４、図２５、図２６に示すような属性情報１８１Ａ〜１８１Ｍ）のうちの少なくとも一部を含まない第一注文情報５１１，５１２，・・・５１９，５１１０や第二注文情報５２１，５２２，・・・５２９，５２１０や逆指値注文情報５３１，５３２，・・・５３９，５３１０を生成し、生成された際に第一注文情報５１１，５１２，・・・５１９，５１１０や第二注文情報５２１，５２２，・・・５２９，５２１０や逆指値注文情報５３１，５３２，・・・５３９，５３１０に含まれていなかった属性情報１８１Ａ〜１８１Ｍを、事後的に付加する構成とすることもできる。なお、この、第一注文情報５１１，５１２，・・・５１９，５１１０や第二注文情報５２１，５２２，・・・５２９，５２１０や逆指値注文情報５３１，５３２，・・・５３９，５３１０に対する属性情報１８１Ａ〜１８１Ｍの付加は、第一注文情報５１１，５１２，・・・５１９，５１１０や第二注文情報５２１，５２２，・・・５２９，５２１０や逆指値注文情報５３１，５３２，・・・５３９，５３１０を生成したシステムと同一のシステム（たとえば、金融商品取引管理装置１を構成する、特定の金融商品取扱業者が所持・管理するサーバシステム）において行われてもよいし、別個のシステム（たとえば、取引所の所持・管理する、金融商品取引管理装置１を構成するシステムや、個々の利用者等の操作するクライアント端末２）において付加されてもよい。
【０２２８】
また、後述するとおり、この実施の形態においては、図２０に示す注文入力画面５１０の実行ボタン４１ｑが１回クリックされることにより、注文情報生成部１６は、その後の全ての第一注文情報５１１，５１２，・・・５１９，５１１０や第二注文情報５２１，５２２，・・・５２９，５２１０や逆指値注文情報５３１，５３２，・・・５３９，５３１０を生成するものとするが、これに限定されず、図２０に示す注文入力画面５１０の実行ボタン４１ｑが複数回クリックされることで、注文情報生成部１６に対して複数回にわたって第一注文情報５１１，５１２，・・・５１９，５１１０や第二注文情報５２１，５２２，・・・５２９，５２１０や逆指値注文情報５３１，５３２，・・・５３９，５３１０の生成命令が入力されて、これにより、注文情報生成部１６が複数回にわたって第一注文情報５１１，５１２，・・・５１９，５１１０や第二注文情報５２１，５２２，・・・５２９，５２１０や逆指値注文情報５３１，５３２，・・・５３９，５３１０を生成する構成としてもよい。また、図２０に示す注文入力画面４１０の実行ボタン４１ｑが１回クリックされることで、第一注文情報５１１，５１２，・・・５１９，５１１０や第二注文情報５２１，５２２，・・・５２９，５２１０や逆指値注文情報５３１，５３２，・・・５３９，５３１０の生成命令が複数形成され、これらの生成命令が、順次、注文情報生成部１６に第一注文情報５１１，５１２，・・・５１９，５１１０や第二注文情報５２１，５２２，・・・５２９，５２１０や逆指値注文情報５３１，５３２，・・・５３９，５３１０の生成を行わせることで、注文情報生成部１６が複数回にわたって第一注文情報５１１，５１２，・・・５１９，５１１０や第二注文情報５２１，５２２，・・・５２９，５２１０や逆指値注文情報５３１，５３２，・・・５３９，５３１０を生成する構成としてもよい。
【０２２９】
［２−５．取引の手順］
図２７、図２８は、このようにして生成された第一注文情報５１１，５１２，・・・５１９，５１１０、及び、第二注文情報５２１，５２２，・・・５２９，５２１０、及び逆指値注文情報５３１，５３２，・・・５３９，５３１０に基づく第一注文１５１１，１５１２，・・・１５１９，１５１１０と第二注文１５２１，１５２２，・・・１５２９，１５２１０とストップロス注文１５３１，１５３２，・・・１５３９，１５３１０との注文を模式的に示す図である。同図においては、図１８、図１９の模式図と同様に、対応する注文情報と注文とを、符号の下２桁と添え字とを同一にして表示している。同図に示す全ての第一注文１５１１，１５１２，・・・１５１９，１５１１０、全ての第二注文１５２１，１５２２，・・・１５２９，１５２１０、全てのストップロス注文１５３１，１５３２，・・・１５３９，１５３１０は、一の注文手続で生成された第一注文情報５１１，５１２，・・・５１９，５１１０、第二注文情報５２１，５２２，・・・５２９，５２１０、逆指値注文情報５３１，５３２，・・・５３９，５３１０に基づいて取引が行われる。
【０２３０】
なお、図２７は、注文入力画面５１０の入力のみに基づいて生成された第一注文情報５１１，５１２，・・・５１９，５１１０によって設定された第一注文１５１１，１５１２，・・・１５１９，１５１１０、第二注文情報５２１，５２２，・・・５２９，５２１０によって設定された第二注文１５２１，１５２２，・・・１５２９，１５２１０、逆指値注文情報５３１，５３２，・・・５３９，５３１０によって設定されたストップロス注文１５３１，１５３２，・・・１５３９，１５３１０、を模式的に示したものである。
【０２３１】
図２８は、図２２に示す変更画面５１２において変更が行われた結果、一部に修正や変更が行われた第一注文情報５１１，５１２，・・・５１９，５１１０、一部に修正や変更が行われた第二注文情報５２１，５２２，・・・５２９，５２１０、一部に修正や変更が行われた逆指値注文情報５３１，５３２，・・・５３９，５３１０、に基づいて設定された、一部が変更された第一注文１５１１，１５１２，・・・１５１９，１５１１０、一部が変更された第二注文１５２１，１５２２，・・・１５２９，１５２１０、一部が変更されたストップロス注文１５３１，１５３２，・・・１５３９，１５３１０、を模式的に示している。
【０２３２】
［２−５−１．通常の取引］
注文情報生成部１６が第一注文情報５１１に対して行う所定の処理（ここでは、第一注文情報５１１に含まれる有効／無効情報１８１Ｋを「無効」から「有効」の状態に変換する処理がこれにあたる。）で、特定の第一注文たとえば第一注文１５１１が発注する。
【０２３３】
図２７、図２８に示すように、相場価格７１が第一注文１５１１の注文価格（すなわち第一注文情報５１１の注文価格情報１８１Ｇ）に一致すると、約定情報生成部１４が第一注文情報５１１に含まれる約定有無情報１８１Ｍを「無」から「有」に変換する処理を行い、第一注文１５１１が約定する。
【０２３４】
第一注文１５１１が約定すると、注文情報生成部１６の第二注文情報５２１と逆指値注文情報５３１に含まれる有効／無効情報１８１Ｋを「無効」から「有効」に変換する処理を行う。これにより、第二注文１５２１とストップロス注文１５３１とが発注される。
【０２３５】
相場価格が第二注文１５２１の注文価格（すなわち第二注文情報５２１の注文価格情報１８１Ｇ）に一致すると、約定情報生成部１４の第二注文情報５２１に対する所定の処理（ここでは、第二注文情報５２１に約定有無情報１８１Ｍを「無」から「有」の状態に変換する処理がこれにあたる。）により、第二注文１５２１が約定する。
【０２３６】
第二注文１５２１が約定すると、注文情報生成部１６の処理により、発注済のストップロス注文１５３１にキャンセル処理（発注済未約定の状態のままで注文を取り消す処理のこと。）が行われ、約定した第一注文１５１１と第二注文１５２１に対応する第一注文情報５１１と第二注文情報５２１と逆指値注文情報５３１とを有する注文情報群５４１が再び生成される。
【０２３７】
相場価格７１が変動して第一注文１５１１の注文価格や第二注文１５２１の注文価格に一致したときに、注文情報生成部１６と約定情報生成部１４とが、再び生成された第一注文情報５１１と第二注文情報５２１と前述の処理と同様の処理を行うことで、第一注文１５１１の発注及び約定、第二注文１５２１の発注及び約定が再び行われる。
【０２３８】
以後、第二注文１５２１が約定するたびに、注文情報生成部１６の処理により第一注文情報５１１と第二注文情報５２１と逆指値注文情報５３１とを有する注文情報群５４１が生成されて、相場価格の変動に伴って、注文情報生成部１６と約定情報生成部１４とが前述と同様の処理を行うことで、第一注文１５１１の発注及び約定、第二注文１５２１の発注及び約定が行われることが繰り返される。
【０２３９】
他の第一注文と第二注文、たとえば第一注文１５１２と第二注文１５２２においても同様に、注文情報生成部１６と約定情報生成部１４とが第一注文情報５１１と第二注文情報５２１とに前述と同様の処理を行うことで、第一注文１５１２と第二注文１５２２との発注や、相場価格７１が変動して第一注文１５１２の注文価格や第二注文１５２２の注文価格に一致したときの約定とが行われ、以後、第二注文１５２２の約定後に第一注文１５１２と第二注文１５２２との再度の発注と約定とが行われることが繰り返される。
【０２４０】
なお、特定の第一注文例えば第一注文１５１１が約定したのちに相場価格７１が下落し、相場価格が第一注文１５１１と同じ注文情報群５４１に含まれる逆指値注文情報５３１の注文価格情報１８１Ｇの値（１ドル＝１００．００円）に至った場合、ストップロス注文１５３１が約定することで未約定の第二注文１５２１はキャンセルされ、この第二注文１５２１は未約定のままで取引が中止される。
【０２４１】
具体的には、約定情報生成部１４は逆指値注文情報５３１の約定有無情報１８１Ｍを「無」から「有」にすると共に、第一注文情報５１１に基づく取引を中止するための処理を行う（例えば、第一注文情報５１１に取引中止のフラグ情報（図示せず）を立てる処理や、第一注文情報５１１を消去する処理等が考えられる。）を行う。なお、ストップロス注文１５３１が約定した場合、約定情報生成部１４が、第二注文情報５２１以外の、未発注の注文に係る注文情報や未約定の注文に係る注文情報のうちの一部又は全部について、同様にキャンセルするための処理を行う構成とすることもできる。
【０２４２】
また、図２７、図２８には図示しないが、特定の注文例えば第二注文１５２２が逆指値注文として設定され、相場価格が特定の第二注文例えば第二注文１５２２の約定価格を超えて上昇又は下落して、相場価格と第二注文１５２２の約定価格が所定のトレール幅（例えば、注文情報生成部１６や第二注文情報５２２等に含まれる、トレール幅の数値を示すトレール幅情報（図示せず））以上開いた場合、所定の変動幅（例えば、前述のトレール幅情報（図示せず）の値）分、相場の変動方向に上昇又は下落する処理が行われるように設定することもできる。
【０２４３】
［２−５−２．注文の修正］
この実施の形態においては、注文情報生成部１６が第一注文情報５１１，５１２，・・・５１９，５１１０や第二注文情報５２１，５２２，・・・５２９，５２１０や逆指値注文情報５３１，５３２，・・・５３９，５３１０を生成して取引が開始された後、所定の条件が満たされた場合に第一注文情報５１１，５１２，・・・５１９，５１１０や第二注文情報５２１，５２２，・・・５２９，５２１０や逆指値注文情報５３１，５３２，・・・５３９，５３１０の一部又は全部が修正される。具体的には、特定の第一注文たとえば第一注文１５１１を取引するための第一注文情報たとえば第一注文１５１１や、特定の第二注文たとえば第二注文１５２１を取引するための第二注文情報たとえば第二注文情報５２１や特定のストップロス注文たとえばストップロス注文１５３１を取引するための逆指値注文情報５３１などの属性情報１８１Ａ〜１８１Ｍ等のうちの少なくとも一部が修正されることで、第一注文情報５１１によって取引される第一注文１５１１や、第二注文情報５２１によって取引される第二注文１５２１や、逆指値注文情報５３１によって取引されるストップロス注文１５３１の内容が修正される。
【０２４４】
この所定の条件としては、例えば下記のような修正条件が考えられる。
【０２４５】
（修正条件１）
第一注文情報５１１，５１２，・・・５１９，５１１０や第二注文情報５２１，５２２，・・・５２９，５２１０や逆指値注文情報５３１，５３２，・・・５３９，５３１０が生成され、第一注文１５１１，１５１２，・・・１５１９，１５１１０や第二注文１５２１，１５２２，・・・１５２９，１５２１０やストップロス注文１５３１，１５３２，・・・１５３９，１５３１０による取引が開始された後、その第一注文１５１１，１５１２，・・・１５１９，１５１１０やその第二注文１５２１，１５２２，・・・１５２９，１５２１０やそのストップロス注文１５３１，１５３２，・・・１５３９，１５３１０のうちの一部又は全部の変更が、利用者の操作により、又は自動的に、行われた場合が該当する。
【０２４６】
具体的には、例えば、利用者がクライアント端末２の表示部２２に、図２１に示す選択・修正画面５１１や、図２２に示す変更画面５１２を表示させ、第一注文情報５１１，５１２，・・・５１９，５１１０や第二注文情報５２１，５２２，・・・５２９，５２１０や逆指値注文情報５３１，５３２，・・・５３９，５３１０のうちの一部又は全部を変更した場合が考えられる。例えば、イフダン注文の一の第一注文たとえば第一注文１５１１が発注されたのちに、その第一注文１５１１や、その第一注文１５１１に対応する第二注文１５２１の注文価格や注文数量や指値注文・成行注文・ストップロス注文の態様などを変更させる場合がこれに対応する。
【０２４７】
（修正条件２）
第一注文情報５１１，５１２，・・・５１９，５１１０や第二注文情報５２１，５２２，・・・５２９，５２１０や逆指値注文情報５３１，５３２，・・・５３９，５３１０が生成され、第一注文１５１１，１５１２，・・・１５１９，１５１１０や第二注文１５２１，１５２２，・・・１５２９，１５２１０やストップロス注文１５３１，１５３２，・・・１５３９，１５３１０による取引が開始された後、その後繰り返し生成される第一注文情報５１１，５１２，・・・５１９，５１１０や第二注文情報５２１，５２２，・・・５２９，５２１０や逆指値注文情報５３１，５３２，・・・５３９，５３１０の内容の変更が、利用者の操作により、又は自動的に、行われた場合が該当する。
【０２４８】
具体的には、たとえば、一の第一注文情報たとえば第一注文情報５１１に基づいて一の第一注文たとえば第一注文１５１１が発注されて約定して、この第一注文１５１１に対応する第二注文たとえば第二注文１５２１が第二注文情報５２１に基づいて発注されて約定したのち、第一注文情報５１１、第二注文情報５２１が、ストップロス注文１５３１を取引するための逆指値注文情報５３１が再度生成されたときに、再度生成された第一注文情報５１１、第二注文情報５２１、再度生成された逆指値注文情報５３１の属性情報１８１Ａ〜１８１Ｍ等のうちのうちの少なくとも一部が、先に生成された第一注文情報５１１、第二注文情報５２１、再度生成された逆指値注文情報５３１の属性情報１８１Ａ〜１８１Ｍ等のうちとは異なる情報として生成されることが考えられる。そして、これにより、再度生成された第一注文情報５１１に基づいて取引される第一注文１５１１、再度生成された第二注文情報５２１に基づいて取引される第二注文１５２１、再度生成された逆指値注文情報５３１に基づいて取引されるストップロス注文１５３１の注文価格や注文金額が、先の第一注文１５１１や先の第二注文１５２１や先のストップロス注文１５３１とは異なるように設定される場合が考えられる。
【０２４９】
なお、（修正条件２）の第一注文情報５１１，５１２，・・・５１９，５１１０や第二注文情報５２１，５２２，・・・５２９，５２１０や逆指値注文情報５３１，５３２，・・・５３９，５３１０の内容の変更は、利用者が注文画面で最初の注文を設定したときの予め設定された条件によって、第一注文情報５１１，５１２，・・・５１９，５１１０や第二注文情報５２１，５２２，・・・５２９，５２１０や逆指値注文情報５３１，５３２，・・・５３９，５３１０の生成が繰り返される際に行われてもよいし、第一注文情報５１１，５１２，・・・５１９，５１１０や第二注文情報５２１，５２２，・・・５２９，５２１０や逆指値注文情報５３１，５３２，・・・５３９，５３１０の生成が繰り返されたのちに、生成された第一注文情報５１１，５１２，・・・５１９，５１１０や第二注文情報５２１，５２２，・・・５２９，５２１０や逆指値注文情報５３１，５３２，・・・５３９，５３１０の対する設定の変更（属性情報１８１Ａ〜１８１Ｍ等の変更）が行われてもよい。
【０２５０】
［２−５−３．途中で注文が修正・変更される場合の取引］
［２−５−３−１．利用者の入力による修正・変更］
例えば、特定の注文たとえば第一注文１５１１が発注した後に、利用者がクライアント端末２の操作部２１を用いてその第一注文１５１１の値幅や利幅や注文数量等を変更する入力を行った場合が該当する。この場合、注文情報生成部１６は、クライアント端末２に入力された情報を取得し、その情報に基づいて、第一注文情報５１１の対応する属性情報１８１Ａ〜１８１Ｍ等を修正する。これにより、第一注文１５１１は、取引の途中で利用者の求める状態に修正される。
【０２５１】
［２−５−３−２．設定による修正・変更］
例えば、注文情報が生成される前の設定（例えば図１５に示す変更画面４１２による設定）に基づいて、第一注文１５１１，１５１２，・・・１５１９，１５１１０と第二注文１５２１，１５２２，・・・１５２９，１５２１０とが（たとえばイフダン注文の取引として）繰り返されるたびに内容が自動的に変更される場合が考えられる。
【０２５２】
具体的には、たとえば、第一注文１５１１，１５１２，・・・１５１９，１５１１０と第二注文１５２１，１５２２，・・・１５２９，１５２１０と（さらに、対応するストップロス注文１５３１，１５３２，・・・１５３９，１５３１０と）の注文数量や注文価格等が変化するように設定された場合が考えられる。
【０２５３】
より具体的には、たとえば、再度発注される第一注文１５１１，１５１２，・・・１５１９，１５１１０のうちの一部又は全部、再度発注される第二注文１５２１，１５２２，・・・１５２９，１５２１０のうちの一部又は全部、再度発注されるストップロス注文１５３１，１５３２，・・・１５３９，１５３１０のうちの一部の、注文数量が０．１通貨ずつ増加するように設定された場合や、注文価格が０．１円ずつ上昇したり下落したりする設定となっているような、所定の規則性に基づいて、再度発注される第一注文１５１１，１５１２，・・・１５１９，１５１１０、再度発注される第二注文１５２１，１５２２，・・・１５２９，１５２１０、再度発注されるストップロス注文１５３１，１５３２，・・・１５３９，１５３１０のうちの一部又は全部が変更・修正される構成が考えられる。
【０２５４】
このように構成するために、注文情報生成部１６は、繰り返し取引が行われる第一注文１５１１，１５１２，・・・１５１９，１５１１０に対応する第一注文情報５１１，５１２，・・・５１９，５１１０、繰り返し取引が行われる第二注文１５２１，１５２２，・・・１５２９，１５２１０に対応する第二注文情報５２１，５２２，・・・５２９，５２１０、繰り返し取引が行われるストップロス注文１５３１，１５３２，・・・１５３９，１５３１０に対応する逆指値注文情報５３１，５３２，・・・５３９，５３１０の属性情報１８１Ａ〜１８１Ｍ等を、前の第一注文１５１１，１５１２，・・・１５１９，１５１１０に対応する第一注文情報５１１，５１２，・・・５１９，５１１０、前の第二注文１５２１，１５２２，・・・１５２９，１５２１０に対応する第二注文情報５２１，５２２，・・・５２９，５２１０、前のストップロス注文１５３１，１５３２，・・・１５３９，１５３１０に対応する逆指値注文情報５３１，５３２，・・・５３９，５３１０の属性情報１８１Ａ〜１８１Ｍ等の一部又は全部を、所定の規則性に基づいて変化させた状態で生成する。これにより、繰り返しの第一注文１５１１，１５１２，・・・１５１９，１５１１、繰り返しの第二注文１５２１，１５２２，・・・１５２９，１５２１０、繰り返しのストップロス注文１５３１，１５３２，・・・１５３９，１５３１０の注文数量や注文価格等を繰り返される前のものと変化させる。
【０２５５】
［３．「らくトラ」における処理手順］
次に、金融商品取引管理システム１Ａにおいて「らくトラ」による取引を行う場合の処理手順を説明する。
【０２５６】
［３−１．注文情報の生成］
金融商品取引管理システム１Ａを利用する取引者は、「トラリピ」による取引を行う場合と同様に、クライアント端末２の表示部２２に、注文選択画面（図示せず）を表示させる。取引者が注文選択画面（図示せず）で「らくトラ」を選択し、実行ボタン（図示せず）をクリックすると、金融商品取引管理装置１のフロントページ配信部１１の処理により、クライアント端末２の表示部２２には、図２９に示す注文入力画面６１０が表示される。
【０２５７】
図２９に示す注文入力画面６１０には、図２０に示す「トラリピ」の注文入力画面５１０と同様の、注文表示欄４１ａ、価格指定方法選択ボタン５１ａ、通貨ペア選択ボタン４１ｂ、注文金額設定ボタン４１ｃ、トラップ本数設定ボタン４１ｄ、合計注文金額表示欄４１ｅ、スタート価格入力欄４１ｆ、注文種類選択ボタン４１ｇ、階層入力欄４１ｊ、利益幅設定欄５１ｂ、利益金額表示欄５１ｃ、有効期限選択欄４１ｋ、ストップロス注文設定ボタン４１ｍが表示される。
【０２５８】
また、図２９に示す注文入力画面６１０には、図２０の注文入力画面５１０のトラップ値幅入力欄４１ｈに替えて、第一注文や第二注文を設定する価格範囲の下限価格を数値入力するための下限価格入力ボタン６１ａ、上限価格入力ボタン６１ｂが表示される。なお、クライアント端末２の表示部２２がタッチパネル式のディスプレイである場合、下限価格入力ボタン６１ａ、上限価格入力ボタン６１ｂに替えて、表示部２２に表示されたチャート上の価格方向の座標（例えば縦軸）に対するポインティングデバイス（例えば取引者の指やタッチペン等）の接触位置をクライアント端末２が検出することで、下限価格の情報や上限価格の情報を取得する構成としてもよい。
【０２５９】
取引者は、この注文入力画面６１０において、所望の注文に必要な情報の入力や選択を行う。注文入力画面５１０と共通のボタンには、注文入力画面４１０と同様の入力が行われる。図２９の注文入力画面６１０は、注文入力画面５１０と共通のボタンに図２０と同様の入力がされた状態が示されている。
【０２６０】
また、図２９の注文入力画面６１０においては、下限価格入力ボタン６１ａに「（１ドル＝）１０１．００（円）」が入力され、上限価格入力ボタン６１ｂに「（１ドル＝）１１０．００（円）」が入力された状態が示されている。
【０２６１】
この状態で実行ボタン４１ｑがクリックされると、取引選択ボタン（図示せず）、及び注文入力画面４１０で選択・入力された情報はクライアント端末２から金融商品取引管理装置１に送信される。金融商品取引管理装置１の注文情報生成部１６は、取引選択ボタン（図示せず）、及び注文入力画面６１０で選択・入力された情報に基づいて、「らくトラ」の取引により、第一注文による取引を行うための第一注文情報と、第二注文による取引を行うための第二注文情報が生成する。
【０２６２】
例えば、注文情報生成部１６は、下限価格入力ボタン６１ａに入力された「（１ドル＝）１０１．００（円）」と上限価格入力ボタン６１ｂに入力された「（１ドル＝）１１０．００（円）」との価格範囲である９．００円を、トラップ本数設定ボタン４１ｄに入力された値から１を引いた値である（１０−１＝）９で割る演算を行う。この演算によって得られた値である、１．００円が、第一注文同士、第二注文同士の値幅として設定される。
【０２６３】
注文情報生成部１６は、特定の注文、例えば、最高値の第一注文を基準に、それぞれの第一注文の第一注文価格を設定する。具体的には、注文情報生成部１６は、最高値の第一注文である第一注文１６１１の第一注文情報６１１の注文価格情報１８１Ｇを、価格範囲の上限価格（すなわち上限価格入力ボタン６１ｂに入力された「（１ドル＝）１１０．００（円）」に設定し、その一つ安値側の第一注文１６１２の第一注文情報６１２の注文価格情報（図示せず）を、第一注文情報６１１に設定した注文価格から上記演算で得た値幅（つまり１．００円）の分だけ安値の「（１ドル＝）１０９．００（円）」に設定し、さらにその一つ安値側の第一注文情報６１３の注文価格情報１８１Ｇを「（１ドル＝）１０９．００（円）」に設定し、・・・と順に設定する。そして、注文情報生成部１６は、最安値の第一注文情報６１１０の第一注文情報６１１０の注文価格情報１８１Ｇを「（１ドル＝）１０１．００（円）」に設定する。
【０２６４】
注文情報生成部１６は、それぞれの第一注文１６１１，１６１２，・・・１６１９，１６１１０に対応する第二注文・・・１６２１，１６２２，・・・１６２９，１６２１０の注文価格を設定する。具体的には、例えば、注文情報生成部１６は、最高値の第一注文１６１１の第一注文情報６１１の注文価格情報１８１Ｇである「（１ドル＝）１１０．００（円）」に、利益幅設定欄５１ｂに入力された「１００（銭）」を加える演算を行い、「（１ドル＝）１１１．００（円）」という値を得る。そして、注文情報生成部１６は、最高値の第二注文１６２１の第二注文情報６２１の注文価格情報１８１Ｇに、上記演算により算出した「（１ドル＝）１１１．００（円）」を設定する。
【０２６５】
次に、注文情報生成部１６は、第二注文１６２１の一つ安値側の第二注文１６２２の第二注文情報６２２の注文価格情報１８１Ｇに、第二注文情報６２１の注文価格情報１８１Ｇに設定した「（１ドル＝）１１１．００（円）」から上記演算にて算出された値幅である１．００円を引いた値である「（１ドル＝）１１０．００（円）」に設定する。さらに、その一つ安値側の第二注文１６１３の第二注文情報６２３の注文価格情報１８１Ｇを「（１ドル＝）１０９．００（円）」に設定し、・・・と順に設定する。そして、注文情報生成部１６は、最安値の第二注文情報６２１０の注文価格情報１８１Ｇを「（１ドル＝）１０１．００（円）」に設定する。
【０２６６】
なお、注文情報生成部１６は、それぞれの第二注文情報６２１，６２２，・・・６２９，６２１０の注文価格情報１８１Ｇを、対応する第一注文情報６１１，６１２，・・・６１９，６１１０に対し、利益幅設定欄５１ｂに入力された「１００（銭）」を加える演算で算出してもよい。
【０２６７】
図２３、図２４、図２５、図２６に、このようにして生成された注文情報を模式的に示す。同図に示す通り、注文入力画面６１０の入力によって、一の注文手続で生成される第一注文情報６１１，６１２，６１３，・・・６１１０、第二注文情報６２１，６２２，・・・６２９，６２１０、逆指値注文情報６３１，６３２，・・・６３９，６３１０、及び注文情報群６４１，６４２，・・・６４９，６４１０は、注文入力画面５１０によって生成される第一注文情報５１１，５１２，・・・５１９，５１１０、第二注文情報５２１，５２２，・・・５２９，５２１０、逆指値注文情報５３１，５３２，・・・５３９，５３１０、及び注文情報群５４１，５４２、・・・５４９，５４１０と同様のものとなる（ただし、注文種別情報１８１Ｉは「らくトラ」を示す情報として記録される。）。
【０２６８】
［３−２．取引の手順］
図３０、図３１は、このようにして生成された第一注文情報６１１，６１２，・・・６１９，６１１０、に基づく第一注文１６１１，１６１２，・・・１６１９，１６１１０、及び、第二注文情報６２１，６２２，・・・６２９，６２１０に基づく第二注文１６２１，１６２２，・・・１６２９，１６２１０と、及び、逆指値注文情報６３１，６３２，・・・６３９，６３１０に基づくストップロス注文１６３１，１６３２，・・・１６３９，１６３１０を模式的に示す図である。同図においては、図１８、図１９、図２７、図２８の場合と同様に、対応する注文情報と注文とを、符号の下２桁と添え字とを同一にして表示している。同図に示す全ての第一注文１６１１，１６１２，・・・１６１９，１６１１０、全ての第二注文１６２１，１６２２，・・・１６２９，１６２１０、全てのストップロス注文１６３１，１６３２，・・・１６３９，１６３１０は、一の注文手続で生成された第一注文情報６１１，６１２，・・・６１９，６１１０、第二注文情報６２１，６２２，・・・６２９，６２１０、逆指値注文情報６３１，６３２，・・・６３９，６３１０に基づいて取引が行われる。
【０２６９】
なお、この実施の形態においては、注文入力画面６１０の自動注文設定選択欄４１ｎ１〜４１ｎ４の何れかにチェックが入れられて実行ボタン４１ｑがクリックされると、金融商品取引管理装置１のフロントページ配信部１１の処理により、クライアント端末２の表示部２２には、図２１に示す選択・修正画面５１１が表示される。また、注文入力画面６１０の注文変更欄４１ｐにチェックが入れられて実行ボタン４１ｑがクリックされると、金融商品取引管理装置１のフロントページ配信部１１の処理により、クライアント端末２の表示部２２には、図２２に示す変更画面５１２が表示される。
【０２７０】
なお、図３０は、注文入力画面６１０の入力のみに基づいて生成された第一注文情報６１１，６１２，・・・６１９，６１１０によって設定された第一注文１６１１，１６１２，・・・１６１９，１６１１０、第二注文情報６２１，６２２，・・・６２９，６２１０によって設定された第二注文１６２１，１６２２，・・・１６２９，１６２１０、逆指値注文情報６３１，６３２，・・・６３９，６３１０によって設定されたストップロス注文１６３１，１６３２，・・・１６３９，１６３１０、を模式的に示したものである。
【０２７１】
図３１は、図２２に示す変更画面５１２において変更が行われた結果、一部に修正や変更が行われた第一注文情報５１１，５１２，・・・５１９，５１１０、一部に修正や変更が行われた第二注文情報５２１，５２２，・・・５２９，５２１０、一部に修正や変更が行われた逆指値注文情報５３１，５３２，・・・５３９，５３１０、に基づいて設定された、一部が変更された第一注文１５１１，１５１２，・・・１５１９，１５１１０、一部が変更された第二注文１５２１，１５２２，・・・１５２９，１５２１０、一部が変更されたストップロス注文１５３１，１５３２，・・・１５３９，１５３１０、を模式的に示している。  
図３０、図３１に示すとおり、ここでは、第一注文１６１１，１６１２，・・・１６１９，１６１１０は、下限価格６５（下限価格入力ボタン６１ａに入力された価格）と上限価格６６（上限価格入力ボタン６１ｂに入力された価格）との間の価格範囲６７に設定されている。
【０２７２】
注文情報生成部１６と約定情報生成部１４は、相場価格７１の変動にともない、このように生成された第一注文情報６１１，６１２，・・・６１９，６１１０、及び、第二注文情報６２１，６２２，・・・６２９，６２１０に処理を行うことで、「トラリピ」の場合と同様に第一注文１６１１，１６１２，・・・１６１９，１６１１０、及び、第二注文情報６２１，６２２，・・・６２９，６２１０に基づく第二注文１６２１，１６２２，・・・１６２９，１６２１０に基づく取引を繰り返し行う。
【０２７３】
［３−２−２．途中で注文が修正・変更される場合の取引］
［３−２−２−１．利用者の入力による修正・変更］
この「らくトラ」による取引が行われる場合も、上記［２−２−２−１．利用者の入力による修正・変更］と同様の修正や変更が行われる。
［３−２−２−２．設定による修正・変更］
この「らくトラ」による取引が行われる場合も、上記［２−２−２−２．設定による修正・変更］と同様の修正や変更が行われる。
【０２７４】
［作用効果］
以上、この実施の形態においては、それぞれの注文情報４１１，４１２，・・・４１９，４１１０、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０、に基づいて取引が行われる複数の金融商品の注文の少なくとも一部が、異なる注文価格において、異なる注文数量になるように設定して注文情報４１１，４１２，・・・４１９，４１１０、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０、を生成させるための情報を注文入力画面４１０，５１０，６１０や選択・修正画面４１１，５１１や変更画面４１２，５１２に表示させることにより、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０、等に基づいて注文される、注文価格の異なる複数の注文１４１１，１４１２，・・・１４１９，１４１１０、複数の第一注文１５１１，１５１２，・・・１５１９，１５１１０，１６１１，１６１２，・・・１６１９，１６１１０、複数の第二注文１５２１，１５２２，・・・１５２９，１５２１０，１６２１，１６２２，・・・１６２９，１６２１０、複数のストップロス注文１５３１，１５３２，・・・１５３９，１５３１０，１６３１，１６３２，・・・１６３９，１６３１０等を、目的に応じ、異なる注文数量に設定することが可能となる。これにより、金融商品の取引を行う者の多様な目的に沿った形で複数の注文を行わせつつ、取引の利便性の高い注文１４１１，１４１２，・・・１４１９，１４１１０、複数の第一注文１５１１，１５１２，・・・１５１９，１５１１０，１６１１，１６１２，・・・１６１９，１６１１０、複数の第二注文１５２１，１５２２，・・・１５２９，１５２１０，１６２１，１６２２，・・・１６２９，１６２１０、複数のストップロス注文１５３１，１５３２，・・・１５３９，１５３１０，１６３１，１６３２，・・・１６３９，１６３１０を行わせることができる。
【０２７５】
この実施の形態においては、複数の注文価格において、所定の規則性をもって設定される複数の注文１４１１，１４１２，・・・１４１９，１４１１０、複数の第一注文１５１１，１５１２，・・・１５１９，１５１１０，１６１１，１６１２，・・・１６１９，１６１１０、複数の第二注文１５２１，１５２２，・・・１５２９，１５２１０，１６２１，１６２２，・・・１６２９，１６２１０、複数のストップロス注文１５３１，１５３２，・・・１５３９，１５３１０，１６３１，１６３２，・・・１６３９，１６３１０の取引を行うための、注文情報生成部１６によって生成される複数の注文情報４１１，４１２，・・・４１９，４１１０、注文情報生成部１６によって生成される複数の第一注文情報５１１，５１２，・・・５１９，５１１０，６１１，６１２，・・・６１９，６１１０、注文情報生成部１６によって生成される複数の第二注文情報５２１，５２２，・・・５２９，５２１０，６２１，６２２，・・・６２９，６２１０、注文情報生成部１６によって生成される複数の逆指値注文情報５３１，５３２，・・・５３９，５３１０，６３１，６３２，・・・６３９，６３１０、のうちの少なくとも一部を、注文の所定の規則性を逸脱させることができるように表示させることにより、注文情報４１１，４１２，・・・４１９，４１１０、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０、に基づいて設定される複数の注文価格の注文１４１１，１４１２，・・・１４１９，１４１１０、複数の注文価格の第一注文１５１１，１５１２，・・・１５１９，１５１１０，１６１１，１６１２，・・・１６１９，１６１１０、複数の注文価格の第二注文１５２１，１５２２，・・・１５２９，１５２１０，１６２１，１６２２，・・・１６２９，１６２１０、複数のストップロス注文１５３１，１５３２，・・・１５３９，１５３１０，１６３１，１６３２，・・・１６３９，１６３１０等を、異なる注文価格において、異なる注文数量に設定するときに、所定の規則性を有する注文１４１１，１４１２，・・・１４１９，１４１１０の注文情報、所定の規則性を有する第一注文１５１１，１５１２，・・・１５１９，１５１１０，１６１１，１６１２，・・・１６１９，１６１１０の第一注文情報５１１，５１２，・・・５１９，５１１０，６１１，６１２，・・・６１９，６１１０、所定の規則性を有する第二注文１５２１，１５２２，・・・１５２９，１５２１０，１６２１，１６２２，・・・１６２９，１６２１０の第二注文情報５２１，５２２，・・・５２９，５２１０，６２１，６２２，・・・６２９，６２１０、所定の規則性を有するストップロス注文１５３１，１５３２，・・・１５３９，１５３１０，１６３１，１６３２，・・・１６３９，１６３１０の逆指値注文情報５３１，５３２，・・・５３９，５３１０，６３１，６３２，・・・６３９，６３１０と、所定の規則性を逸脱した注文１４１１，１４１２，・・・１４１９，１４１１０の注文情報、所定の規則性を逸脱した第一注文１５１１，１５１２，・・・１５１９，１５１１０，１６１１，１６１２，・・・１６１９，１６１１０の第一注文情報５１１，５１２，・・・５１９，５１１０，６１１，６１２，・・・６１９，６１１０、所定の規則性を逸脱した第二注文１５２１，１５２２，・・・１５２９，１５２１０，１６２１，１６２２，・・・１６２９，１６２１０の第二注文情報５２１，５２２，・・・５２９，５２１０，６２１，６２２，・・・６２９，６２１０、所定の規則性を逸脱したストップロス注文１５３１，１５３２，・・・１５３９，１５３１０，１６３１，１６３２，・・・１６３９，１６３１０の逆指値注文情報５３１，５３２，・・・５３９，５３１０，６３１，６３２，・・・６３９，６３１０とを併せて表示させることができる。これにより、注文情報４１１，４１２，・・・４１９，４１１０に基づいて取引を行う複数の注文１４１１，１４１２，・・・１４１９，１４１１０、第一注文情報５１１，５１２，・・・５１９，５１１０，６１１，６１２，・・・６１９，６１１０に基づいて取引を行う複数の第一注文１５１１，１５１２，・・・１５１９，１５１１０，１６１１，１６１２，・・・１６１９，１６１１０、第二注文情報５２１，５２２，・・・５２９，５２１０，６２１，６２２，・・・６２９，６２１０に基づいて取引を行う複数の第二注文１５２１，１５２２，・・・１５２９，１５２１０，１６２１，１６２２，・・・１６２９，１６２１０、逆指値注文情報５３１，５３２，・・・５３９，５３１０，６３１，６３２，・・・６３９，６３１０に基づいて取引を行う複数のストップロス注文１５３１，１５３２，・・・１５３９，１５３１０，１６３１，１６３２，・・・１６３９，１６３１０を、規則性のある注文１４１１，１４１２，・・・１４１９，１４１１０と規則性を逸脱した注文１４１１，１４１２，・・・１４１９，１４１１０、規則性のある第一注文１５１１，１５１２，・・・１５１９，１５１１０，１６１１，１６１２，・・・１６１９，１６１１０と規則性を逸脱した第一注文１５１１，１５１２，・・・１５１９，１５１１０，１６１１，１６１２，・・・１６１９，１６１１０、規則性のある第二注文１５２１，１５２２，・・・１５２９，１５２１０，１６２１，１６２２，・・・１６２９，１６２１０と規則性を逸脱した第二注文１５２１，１５２２，・・・１５２９，１５２１０，１６２１，１６２２，・・・１６２９，１６２１０、規則性のあるストップロス注文１５３１，１５３２，・・・１５３９，１５３１０，１６３１，１６３２，・・・１６３９，１６３１０と規則性を逸脱したストップロス注文１５３１，１５３２，・・・１５３９，１５３１０，１６３１，１６３２，・・・１６３９，１６３１０が併存した状態で行わせることができ、規則性に基づき複数の注文１４１１，１４１２，・・・１４１９，１４１１０、複数の第一注文１５１１，１５１２，・・・１５１９，１５１１０，１６１１，１６１２，・・・１６１９，１６１１０、複数の第二注文１５２１，１５２２，・・・１５２９，１５２１０，１６２１，１６２２，・・・１６２９，１６２１０、複数のストップロス注文１５３１，１５３２，・・・１５３９，１５３１０，１６３１，１６３２，・・・１６３９，１６３１０をまとめて設定しつつ、利用者の意向や相場状況等に基づいて、少なくとも一部の注文１４１１，１４１２，・・・１４１９，１４１１０、少なくとも一部の第一注文１５１１，１５１２，・・・１５１９，１５１１０，１６１１，１６１２，・・・１６１９，１６１１０、少なくとも一部の第二注文１５２１，１５２２，・・・１５２９，１５２１０，１６２１，１６２２，・・・１６２９，１６２１０、少なくとも一部のストップロス注文１５３１，１５３２，・・・１５３９，１５３１０，１６３１，１６３２，・・・１６３９，
１６３１０について規則性を逸脱した任意の状態で設定することを可能とし、取引の簡易性と取引の柔軟性を併存させた状態で金融商品の取引を行わせることができる。
【０２７６】
この実施の形態においては、注文価格ごとの注文数量の一致状態や相違状態を基準に、注文価格ごとの注文数量をまとめて設定することが可能となる。これにより、複数の注文価格に注文数量の異なる注文を設定する注文情報４１１，４１２，・・・４１９，４１１０、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０、等を生成する際の利便性を高めることができる。
【０２７７】
この実施の形態においては、フロントページ配信部１１によって規則性の情報が利用者に対して選択可能に表示され、利用者によって選択された規則性の情報に基づいて、所定の規則性を有する注文１４１１，１４１２，・・・１４１９，１４１１０、所定の規則性を有する第一注文１５１１，１５１２，・・・１５１９，１５１１０，１６１１，１６１２，・・・１６１９，１６１１０、所定の規則性を有する第二注文１５２１，１５２２，・・・１５２９，１５２１０，１６２１，１６２２，・・・１６２９，１６２１０、所定の規則性を有するストップロス注文１５３１，１５３２，・・・１５３９，１５３１０，１６３１，１６３２，・・・１６３９，１６３１０等を自動的に生成させることにより、所定の規則性を有する注文を簡易に行うための情報を利用者に提示すると共に、利用者から送られた情報に基づいて、注文情報生成部１６において、所定の規則性を有する注文１４１１，１４１２，・・・１４１９，１４１１０を行うための注文情報４１１，４１２，・・・４１９，４１１０、所定の規則性を有する第一注文１５１１，１５１２，・・・１５１９，１５１１０，１６１１，１６１２，・・・１６１９，１６１１０を行うための第一注文情報５１１，５１２，・・・５１９，５１１０，６１１，６１２，・・・６１９，６１１０、所定の規則性を有する第二注文１５２１，１５２２，・・・１５２９，１５２１０，１６２１，１６２２，・・・１６２９，１６２１０を行うための第二注文情報５２１，５２２，・・・５２９，５２１０，６２１，６２２，・・・６２９，６２１０、所定の規則性を有するストップロス注文１５３１，１５３２，・・・１５３９，１５３１０，１６３１，１６３２，・・・１６３９，１６３１０を行うための逆指値注文情報５３１，５３２，・・・５３９，５３１０，６３１，６３２，・・・６３９，６３１０等を定型的に生成させることができる。
【０２７８】
この実施の形態においては、複数の注文価格の注文１４１１，１４１２，・・・１４１９，１４１１０、複数の注文価格の第一注文１５１１，１５１２，・・・１５１９，１５１１０，１６１１，１６１２，・・・１６１９，１６１１０、複数の注文価格の第二注文１５２１，１５２２，・・・１５２９，１５２１０，１６２１，１６２２，・・・１６２９，１６２１０、ストップロス注文１５３１，１５３２，・・・１５３９，１５３１０，１６３１，１６３２，・・・１６３９，１６３１０等を、異なる注文価格において、異なる注文数量に設定するときに、注文入力画面４１０，５１０，６１０、選択・修正画面４１１，５１１、変更画面４１２，５１２に表示された情報に基づいて、所定の規則性を基準にした設定と、所定の規則性から逸脱した設定とを併用させる、注文情報４１１，４１２，・・・４１９，４１１０、第一注文情報５１１，５１２，・・・５１９，５１１０，６１１，６１２，・・・６１９，６１１０、第二注文情報５２１，５２２，・・・５２９，５２１０，６２１，６２２，・・・６２９，６２１０、逆指値注文情報５３１，５３２，・・・５３９，５３１０，６３１，６３２，・・・６３９，６３１０等の生成が可能となる。
【０２７９】
この実施の形態においては、所定の規則性を有するように設定された注文情報４１１，４１２，・・・４１９，４１１０、所定の規則性を有するように設定された第一注文情報５１１，５１２，・・・５１９，５１１０，６１１，６１２，・・・６１９，６１１０、所定の規則性を有するように設定された第二注文情報５２１，５２２，・・・５２９，５２１０，６２１，６２２，・・・６２９，６２１０、所定の規則性を有するように設定された逆指値注文情報５３１，５３２，・・・５３９，５３１０，６３１，６３２，・・・６３９，６３１０等のうち少なくとも一部を、注文入力画面４１０，５１０，６１０、選択・修正画面４１１，５１１、変更画面４１２，５１２に表示された情報に基づいて、注文情報生成部１６に、所定の規則性から逸脱するように設定を修正させ、所定の規則性を基準にした設定した注文を、目的や相場状況等の事後的な変化に応じて修正させることが可能となる。これにより、設定済の注文１４１１，１４１２，・・・１４１９，１４１１０、設定済の第一注文１５１１，１５１２，・・・１５１９，１５１１０，１６１１，１６１２，・・・１６１９，１６１１０、設定済の第二注文１５２１，１５２２，・・・１５２９，１５２１０，１６２１，１６２２，・・・１６２９，１６２１０、設定済のストップロス注文１５３１，１５３２，・・・１５３９，１５３１０，１６３１，１６３２，・・・１６３９，１６３１０等に対する多様で複雑な事後的な再設定が可能となり、注文数量の異なる複数の注文価格の注文１４１１，１４１２，・・・１４１９，１４１１０、注文数量の異なる複数の注文価格の第一注文１５１１，１５１２，・・・１５１９，１５１１０，１６１１，１６１２，・・・１６１９，１６１１０、注文数量の異なる複数の注文価格の第二注文１５２１，１５２２，・・・１５２９，１５２１０，１６２１，１６２２，・・・１６２９，１６２１０、ストップロス注文１５３１，１５３２，・・・１５３９，１５３１０，１６３１，１６３２，・・・１６３９，１６３１０等の設定の利便性を一層高めることが可能となる。
【０２８０】
この実施の形態においては、所定の規則性を基準に設定した注文１４１１，１４１２，・・・１４１９，１４１１０、所定の規則性を基準に設定した第一注文１５１１，１５１２，・・・１５１９，１５１１０，１６１１，１６１２，・・・１６１９，１６１１０、所定の規則性を基準に設定した第二注文１５２１，１５２２，・・・１５２９，１５２１０，１６２１，１６２２，・・・１６２９，１６２１０、所定の規則性を基準に設定したストップロス注文１５３１，１５３２，・・・１５３９，１５３１０，１６３１，１６３２，・・・１６３９，１６３１０等を、目的や相場状況等の事後的な変化に応じ、自動的に修正させることが可能となる。
【０２８１】
この実施の形態においては、注文入力画面４１０，５１０，６１０、選択・修正画面４１１，５１１、変更画面４１２，５１２に表示された情報に基づいて、所定の規則性を基準にした設定した注文１４１、所定の規則性を基準にした設定した第一注文１５１、所定の規則性を基準にした設定した第二注文１５２等を、目的や相場状況等の事後的な変化に応じ、利用者の意向を反映した状態に修正させることが可能となる。
【０２８２】
この実施の形態においては、生成された注文情報４１１，４１２，・・・４１９，４１１０、に基づいて発注された注文１４１１，１４１２，・・・１４１９，１４１１０、生成された第一注文情報５１１，５１２，・・・５１９，５１１０，６１１，６１２，・・・６１９，６１１０、に基づいて発注された第一注文１５１１，１５１２，・・・１５１９，１５１１０，１６１１，１６１２，・・・１６１９，１６１１０、生成された第二注文情報５２１，５２２，・・・５２９，５２１０、に基づいて発注された第二注文１５２１，１５２２，・・・１５２９，１５２１０，１６２１，１６２２，・・・１６２９，１６２１０、生成された逆指値注文情報５３１，５３２，・・・５３９，５３１０，６３１，６３２，・・・６３９，６３１０に基づいて発注されたストップロス注文１５３１，１５３２，・・・１５３９，１５３１０，１６３１，１６３２，・・・１６３９，１６３１０等について取引が成立した場合に、注文情報４１１，４１２，・・・４１９，４１１０、に基づいて発注された、第一注文情報５１１，５１２，・・・５１９，５１１０，６１１，６１２，・・・６１９，６１１０、第二注文情報５２１，５２２，・・・５２９，５２１０、逆指値注文情報５３１，５３２，・・・５３９，５３１０，６３１，６３２，・・・６３９，６３１０等に対し、その注文１４１１，１４１２，・・・１４１９，１４１１０、その第一注文１５１１，１５１２，・・・１５１９，１５１１０，１６１１，１６１２，・・・１６１９，１６１１０、その第二注文１５２１，１５２２，・・・１５２９，１５２１０，１６２１，１６２２，・・・１６２９，１６２１０、そのストップロス注文１５３１，１５３２，・・・１５３９，１５３１０，１６３１，１６３２，・・・１６３９，１６３１０等が約定した処理を行うことで、注文情報４１１，４１２，・・・４１９，４１１０、に基づいて発注された、第一注文情報５１１，５１２，・・・５１９，５１１０，６１１，６１２，・・・６１９，６１１０、第二注文情報５２１，５２２，・・・５２９，５２１０、逆指値注文情報５３１，５３２，・・・５３９，５３１０，６３１，６３２，・・・６３９，６３１０等に基づく金融商品の売買取引を実現させることができる。
【０２８３】
なお、上記実施の形態の金融商品取引管理システム１Ａは、金融商品として外国為替を取扱うものとしたが、これに限定されず、他の金融商品、例えば株式、債券を取扱う場合においても本発明を適用できる。また、上記実施の形態の金融商品取引管理システム１Ａは、他の法律上の金融商品や、法律上の金融商品以外であって変動相場にて取引がされるもの、例えば、仮想通貨、貴金属や農産物や原油等の先物取引等を取り扱う場合においても本発明を適用できる。
【０２８４】
また、上記各実施の形態の金融商品取引管理システム１Ａにおいては、注文情報群を形成する買い注文情報を「第一注文」とし、売り注文情報を「第二注文」としたが、逆に、売り注文情報を「第一注文」とし、買い注文情報を「第二注文」としてもよい。
【０２８５】
上記各実施の形態は本発明の例示であり、本発明が上記各実施の形態のみに限定されることを意味するものではないことは、いうまでもない。
【符号の説明】
【０２８６】
１Ａ・・・金融商品取引管理システム
１・・・金融商品取引管理装置
２、２１〜２ｎ・・・クライアント端末
１１・・・フロントページ配信部（注文情報表示制御手段、規則性表示制御手段）
２２，２２１，・・・，２２ｎ・・・表示部（注文情報表示手段）
４１１，４１２，・・・４１９，４１１０・・・注文情報
５１１，５１２，・・・５１９，５１１０・・・第一注文情報（注文情報）
５２１，５２２，・・・５２９，５２１０・・・第二注文情報（注文情報）
５３１、５３２、・・・５３９，５３１０・・・逆指値注文情報（注文情報）
１４１１，１４１２，・・・１４１９，１４１１０・・・注文
１５１１，１５１２，・・・１５１９，１５１１０，１６１１，１６１２，・・・１６１９，１６１１０・・・第一注文（注文）
１４・・・約定情報生成部（約定情報生成手段）
１６・・・注文情報生成部（注文情報生成手段）
１５２１，１５２２，・・・１５２９，１５２１０，１６２１，１６２２，・・・１６２９，１６２１０・・・第二注文（注文）
１５３１，１５３２，・・・１５３９，１５３１０，１６３１，１６３２，・・・１６３９，１６３１０・・・逆指値注文（注文）
４１０，５１０，６１０・・・注文入力画面（注文情報表示手段、規則性表示手段）
４１１，５１１・・・選択・修正画面（注文情報表示手段、規則性表示手段）
４１２，５１２・・・変更画面（注文情報表示手段、規則性表示手段）
【図１】
2020106925.tif 000003
【図２】
2020106925.tif 000004
【図３】
2020106925.tif 000005
【図４】
2020106925.tif 000006
【図５】
2020106925.tif 000007
【図６】
2020106925.tif 000008
【図７】
2020106925.tif 000009
【図８】
2020106925.tif 000010
【図９】
2020106925.tif 000011
【図１０】
2020106925.tif 000012
【図１１】
2020106925.tif 000013
【図１２】
2020106925.tif 000014
【図１３】
2020106925.tif 000015
【図１４】
2020106925.tif 000016
【図１５】
2020106925.tif 000017
【図１６】
2020106925.tif 000018
【図１７】
2020106925.tif 000019
【図１８】
2020106925.tif 000020
【図１９】
2020106925.tif 000021
【図２０】
2020106925.tif 000022
【図２１】
2020106925.tif 000023
【図２２】
2020106925.tif 000024
【図２３】
2020106925.tif 000025
【図２４】
2020106925.tif 000026
【図２５】
2020106925.tif 000027
【図２６】
2020106925.tif 000028
【図２７】
2020106925.tif 000029
【図２８】
2020106925.tif 000030
【図２９】
2020106925.tif 000031
【図３０】
2020106925.tif 000032
【図３１】
2020106925.tif 000033